(57)【特許請求の範囲】
【請求項１】
内部に制御基板を収容する基板収容ケースを備える遊技機であって、
前記基板収容ケースは、第１ケース体と、第２ケース体と、前記第１ケース体および前記第２ケース体を開封不能に封止する封止手段と、を備え、
前記封止手段は、
前記第１ケース体と前記第２ケース体とに跨って挿入される封止部材と、
前記封止部材を挿入した状態で当該封止部材の周囲において、前記第１ケース体と前記第２ケース体とに跨って形成され、硬化性物質が注入される空間部と、
を備えており、
前記空間部は、前記第１ケース体側に設けられる第１ケース体側空間部と、前記第２ケース体側に設けられる第２ケース体側空間部とを有し、前記第１ケース体側空間部および前記第２ケース体側空間部が、前記封止部材に近接する側に位置する内側端部と、前記封止部材から離間する側に位置する外側端部と、を備えており、
前記第２ケース体側空間部の前記外側端部は、前記第１ケース体側空間部の前記外側端部よりも、前記封止部材から離間する位置に設けられる部分を備え、
前記空間部で硬化した硬化性物質が鉤形状部を形成することを特徴とする遊技機。
【請求項２】
内部に制御基板を収容する基板収容ケースを備える遊技機であって、
前記基板収容ケースは、第１ケース体と、第２ケース体と、前記第１ケース体および前記第２ケース体を開封不能に封止する封止手段と、を備え、
前記封止手段は、
前記第１ケース体と前記第２ケース体とに跨って挿入される封止部材と、
前記封止部材を挿入した状態で当該封止部材の周囲において、前記第１ケース体と前記第２ケース体とに跨って形成され、硬化性物質が注入される空間部と、
を備えており、
前記空間部は、前記第１ケース体側に設けられる第１ケース体側空間部と、前記第２ケース体側に設けられる第２ケース体側空間部とを有し、前記第１ケース体側空間部および前記第２ケース体側空間部が、前記封止部材に近接する側に位置する内側端部と、前記封止部材から離間する側に位置する外側端部と、を備えており、
前記第２ケース体側空間部の前記内側端部は、前記第１ケース体側空間部の前記内側端部よりも、前記封止部材に近接する位置に設けられる部分を備え、
前記空間部で硬化した硬化性物質が鉤形状部を形成することを特徴とする遊技機。
【発明の詳細な説明】
【技術分野】
【０００１】
本発明は、遊技機に関し、いわゆるセブン機、羽根物、権利物又はアレンジボール等の弾球遊技機や、スロットマシン（若しくはパチスロ）と称される回胴式遊技機に対して適用することができる。
【背景技術】
【０００２】
弾球遊技機や回胴式遊技機は、遊技を制御するための「制御基板」を備えている。そして、この種の制御基板の中には、第１ケース体及び第２ケース体を具備する基板収納ケースに収納して用いられるものがある。
【０００３】
ところで、弾球遊技機や回胴式遊技機においては、制御基板に実装された電子部品（ＲＯＭ等）を不正な電子部品（ＲＯＭ等）に交換する行為、制御基板そのものを不正な制御基板に交換する行為等の不正行為を防止することが要求される。このため、基板収納ケースに対して、第１ケース体と第２ケース体とを閉じた状態に封止するための封止機構（封止手段）を設けることが行われている。例えば、第１ケース体に一体的に設けられた有底筒部と、第２ケース体に設けられた封止受部とをワンウェイネジで締結して構成される封止機構（封止手段）を備える遊技機が提案されている（特許文献１を参照、以下「従来例」という）。
【先行技術文献】
【特許文献】
【０００４】
【特許文献１】特開２００１−２９３２１５号公報
【発明の概要】
【発明が解決しようとする課題】
【０００５】
しかし、この従来例では、ワンウェイネジが強制的に引き抜かれると、基板収納ケースの封止を解除することが比較的に容易である。このため、封止を不正に解除する行為を更に行い難くした基板収納ケースを備える遊技機の出現が切望されている。
【０００６】
本発明は、このような問題を解決するためになされたものであり、その目的とするところは、封止を不正に解除することが困難な基板収納ケースを備える遊技機を提供することである。
【課題を解決するための手段】
【０００７】
本発明の遊技機は、
内部に制御基板を収容する基板収容ケースを備える遊技機であって、
前記基板収容ケースは、第１ケース体と、第２ケース体と、前記第１ケース体および前記第２ケース体を開封不能に封止する封止手段と、を備え、
前記封止手段は、
前記第１ケース体と前記第２ケース体とに跨って挿入される封止部材と、
前記封止部材を挿入した状態で当該封止部材の周囲において、前記第１ケース体と前記第２ケース体とに跨って形成され、硬化性物質が注入される空間部と、
を備えており、
前記空間部は、前記第１ケース体側に設けられる第１ケース体側空間部と、前記第２ケース体側に設けられる第２ケース体側空間部とを有し、前記第１ケース体側空間部および前記第２ケース体側空間部が、前記封止部材に近接する側に位置する内側端部と、前記封止部材から離間する側に位置する外側端部と、を備えており、
前記第２ケース体側空間部の前記外側端部は、前記第１ケース体側空間部の前記外側端部よりも、前記封止部材から離間する位置に設けられる部分を備え、
前記空間部で硬化した硬化性物質が鉤形状部を形成することを特徴とする。
【０００８】
本発明では、封止部材の周囲で硬化性物質が硬化するため、封止部材を引き抜き難くすることができる。また、何らかの方法で封止部材が引き抜かれたり、切断されたりしたとしても、硬化性物質が封止部材の周囲で硬化し、第１ケース体および第２ケース体が固着されるため、第１ケース体および第２ケース体の固着部分（連結部分）を分離して、基板収容ケースの封止を解除することが困難である。特に、本発明では、空間部で硬化した硬化性物質が鉤形状部（引っ掛かり部、アンカー部）を構成するため、第１ケース体および第２ケース体の固着部分を分離して、基板収容ケースの封止を解除することが困難である。このように、本発明によると、封止を不正に解除することが困難な基板収納ケースを備える遊技機を得ることができる。
【０００９】
ここで、本明細書では、基板収容ケースとしては、（ａ）第１ケース体と第２ケース体とのうちの一方若しくは双方をスライドさせて、開閉が行われるスライド式の基板収容ケース、（ｂ）第１ケース体と第２ケース体とをヒンジで連結し、第１ケース体と第２ケース体とのうちの一方若しくは双方を回動させ、開閉が行われる回動式の基板収容ケース、（ｃ）分離した第１ケース体と第２ケース体の開口部同士を重ね合わせて容器構造を構成する基板収容ケース、等を例示できる。
【００１０】
また、基板収納ケースを構成するケース体の数は２個以上であれば特に問わない。また、基板収納ケースを構成するケース体の構成は種々選択することができる。例えば、基板収納ケースを構成するケース体が第１ケース体及び第２ケース体のみである場合、両ケース体を略容器形状とし、両者の開口部側同士を連結して制御基板を収納する収納体を構成してもよい。また、両ケース体のうちの一方を略容器形状とし、他方をその開口部を閉鎖する蓋形状とし、両者の組み合わせで制御基板を収納する収納体を構成してもよい。
【００１１】
また、本発明は、
内部に制御基板を収容する基板収容ケースを備える遊技機であって、
前記基板収容ケースは、第１ケース体と、第２ケース体と、前記第１ケース体および前記第２ケース体を開封不能に封止する封止手段と、を備え、
前記封止手段は、
前記第１ケース体と前記第２ケース体とに跨って挿入される封止部材と、
前記封止部材を挿入した状態で当該封止部材の周囲において、前記第１ケース体と前記第２ケース体とに跨って形成され、硬化性物質が注入される空間部と、
を備えており、
前記空間部は、前記第１ケース体側に設けられる第１ケース体側空間部と、前記第２ケース体側に設けられる第２ケース体側空間部とを有し、前記第１ケース体側空間部および前記第２ケース体側空間部が、前記封止部材に近接する側に位置する内側端部と、前記封止部材から離間する側に位置する外側端部と、を備えており、
前記第２ケース体側空間部の前記内側端部は、前記第１ケース体側空間部の前記内側端部よりも、前記封止部材に近接する位置に設けられる部分を備え、
前記空間部で硬化した硬化性物質が鉤形状部を形成することを特徴としてもよい。
【００１２】
この場合においても、封止部材の周囲で硬化性物質が硬化するため、封止部材を引き抜き難くすることができる。また、何らかの方法で封止部材が引き抜かれたり、切断されたりしたとしても、硬化性物質が封止部材の周囲で硬化し、第１ケース体および第２ケース体が固着されるため、第１ケース体および第２ケース体の固着部分（連結部分）を分離して、基板収容ケースの封止を解除することが困難である。特に、本発明では、空間部で硬化した硬化性物質が鉤形状部（引っ掛かり部、アンカー部）を構成するため、を第１ケース体および第２ケース体の締結部分（固着部分）を分離して、基板収容ケースの封止を解除することが困難である。このように、本発明によると、封止を不正に解除することが困難な基板収納ケースを備える遊技機を得ることができる。
【００１３】
この場合には、前述の構成を兼ね備えていてもよい。つまり、
「前記第２ケース体側空間部の外側端部は、前記第１ケース体側空間部の外側端部よりも、前記封止部材から離間する位置に設けられる部分を備え、
前記第２ケース体側空間部の内側端部は、前記第１ケース体側空間部の内側端部よりも、前記封止部材から近接する側に設けられる部分を備え、
前記空間部で硬化した硬化性物質が鉤形状部を形成すること」
を特徴としてもよい。
【００１４】
また、本発明では、
前記封止部材は、頭部と該頭部から突出する軸部とを備え、
前記空間部には、前記頭部が埋没するように前記硬化性物質を注入する
こととしてもよい。
【００１５】
この場合、封止部材が視認困難若しくは視認不能とされるばかりか、硬化した硬化性物質によって封止部材が引き抜き難くされるため、基板収納ケースの封止を不正に解除する行為を行うことが更に困難となる。なお、硬化性物質を不透明な物質とすると、封止部材を硬化性物質で隠蔽することができるため、封止部材の不正な引き抜きを更一層に行い難くできる。
【００１６】
また、本発明では、
前記封止部材は、頭部と該頭部から突出する軸部とを備え、
前記軸部には凹部が形成され、前記硬化性物質は、該凹部に充填される
こととしてもよい。
【００１７】
この場合、軸部の周囲に硬化性物質が充填されると共に、当該軸部の凹部に硬化性物質が充填されるため、封止部材を更に引き抜き難くすることができる。このため、基板収納ケースの封止を不正に解除する行為を行うことが更に一層困難となる。なお、この場合、空間部には、頭部が埋没するように硬化性物質を注入することとしてもよい。
【００１８】
また、本発明では、
前記硬化性物質は、樹脂である
こととしてもよい。
【００１９】
この場合、硬化性物質として、取り扱い容易な樹脂を用いるため、製造上の手間を多くせずに、不正行為を効果的に防止できる遊技機を得ることができる。ここで、「樹脂」としては、「紫外線硬化性樹脂」、「光硬化性樹脂」、「熱硬化性樹脂」、「熱可塑性樹脂」等を用いることができる。
【００２０】
ここで、本明細書において、「前」及び「表」は、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。更に、本体枠、前面枠、上皿部材、下皿部材等のように、「扉の如く、開閉可能な部材（以下、「扉型部材」という）」において、「左」、「右」、「前」、「後」等は、これらの扉型部材が使用状態にある場合、つまり、閉鎖された状態にある場合を基準としたものである
【発明の効果】
【００２１】
上記したように本発明によると、封止を不正に解除することが困難な基板収納ケースを備える遊技機を得ることができる。
【図面の簡単な説明】
【００２２】
【図１】遊技機を示す斜視図である。
【図２】遊技機の遊技盤を示す正面図である。
【図３】（ａ）は演出表示装置の表示画面に表示する表示内容を示す概略的な正面図であり、（ｂ）は特別図柄表示部で実行される変動表示の態様を示す説明図であり、（ｃ）は情報表示装置の詳細を示す説明図である。
【図４】遊技機の概略的な裏面図である。
【図５】電子制御装置を示すブロック図である。
【図６】普通図柄変動遊技を説明するための概略的な説明図である。
【図７】特別図柄変動遊技を説明するための概略的な説明図である。
【図８】主制御基板装置を示す斜視図である。
【図９】主制御基板装置の分解斜視図である。
【図１０】ケース本体を示す斜視図である。
【図１１】ケース本体の背面図である。
【図１２】（ａ）は主制御基板が装着されたケース本体の背面図であり、（ｂ）は図１２（ａ）の１−１断面図である。
【図１３】（ａ）は図１１の２−２断面図であり、（ｂ）はスライド挿入部、係合突起の作用等を説明するための説明図である。
【図１４】ケース蓋を構成する挿入壁の係合部と、ケース本体の被係合部との関係を説明するための説明図である。
【図１５】（ａ）は本体側封止部を説明するための概略的な平面図であり、（ｂ）は本体側封止部に設けられた凹部および貫通孔を説明するための概略的な平面図である｛図１６（ａ）の３−３断面に相当｝。
【図１６】（ａ）は本体側封止部の要部縦断面図｛図１５の４−４断面に相当｝、（ｂ）は本体側封止部の要部縦断面図｛図１５の５−５断面に相当｝である。
【図１７】（ａ）は本体側封止部に設けられた貫通孔を説明するための概略的な説明図であり、（ｂ）は本体側封止部に設けられた凹部および貫通孔を説明するための概略的な説明図である。
【図１８】ケース蓋を示す斜視図である。
【図１９】（ａ）〜（ｃ）は主制御基板ケース（ケース本体及びケース蓋）の組付手順を説明するための説明図である。
【図２０】（ａ）はケース蓋の平面図であり、（ｂ）はケース蓋の要部の背面図である。
【図２１】ケース蓋の要部拡大平面図である。
【図２２】（ａ）はケース蓋の要部縦断面図｛図２１の６−６断面に相当｝、（ｂ）はケース蓋の要部拡大縦断面図｛図２１の７−７断面に相当｝である。
【図２３】ケース蓋の要部拡大斜視図である。
【図２４】本体側封止部の貫通孔（一点鎖線で図示）と、ケース蓋の凹部との関係を示す説明図（ケース蓋の要部拡大平面図）である。
【図２５】封止具の分解斜図である。
【図２６】主制御基板ケース（ケース本体及びケース蓋）の組付手順を説明するための説明図である。
【図２７】（ａ）および（ｂ）は主制御基板ケース（ケース本体及びケース蓋）の組付手順を説明するための説明図である。
【図２８】（ａ）および（ｂ）は主制御基板ケース（ケース本体及びケース蓋）の組付手順を説明するための説明図である。
【図２９】（ａ）は封止具の装着状態を示す説明図であり、（ｂ）は変形例１を示す説明図である。
【図３０】主制御基板ケース（ケース本体及びケース蓋）の封止構造を説明するための縦断面図である。
【図３１】（ａ）および（ｂ）は主制御基板ケース（ケース本体及びケース蓋）の組付手順を説明するための説明図である。
【図３２】図３０の一部拡大図である。
【図３３】（ａ）は実施例１の特徴を説明するための説明図であり、（ｂ）は比較例を説明するための説明図であり、（ｃ）は変形例２を説明するための説明図である。
【図３４】（ａ）および（ｂ）は実施例２を説明するための説明図である。
【図３５】（ａ）は実施例２を説明するための説明図であり、（ｂ）は変形例３を説明するための説明図である。
【図３６】（ａ）は変形例４を説明するための説明図であり、（ｂ）は変形例５を説明するための説明図であり、（ｃ）は変形例６を説明するための説明図である。
【図３７】（ａ）は変形例７を説明するための説明図であり、（ｂ）は変形例８を説明するための説明図である。
【図３８】（ａ）は変形例９を説明するための説明図であり、（ｂ）は変形例１０を説明するための説明図である。
【発明を実施するための形態】
【００２３】
以下、発明を実施するための形態を示す実施例について図面に基づいて説明する。以下に示す各実施例では、本発明を「セブン機」と称する遊技機（パチンコ機）１に適用した各具体例について説明する。
【実施例１】
【００２４】
（１）機械的な構造
ａ．遊技機の全体構造
先ず、この遊技機１の全体構造について、図１を参照して説明する。この遊技機１は外枠２と、外枠２に装着された遊技機本体Ｈとを備える。この遊技機本体Ｈは、外枠２の左端側上下のヒンジＨ１、Ｈ２を用いて、外枠２の左端側に回動自在に組み付けられている。また、遊技機本体Ｈは、遊技機１のうち外枠２を除く部分であって、本体枠３と、前面枠４と、前面枠４に一体化された皿部材５Ａと、遊技盤１０（図２を参照）と、裏機構盤１０２等を主要部としている。
【００２５】
本体枠３は遊技盤１０を保持可能な枠状体によって構成され、外枠２に嵌めこまれ、外枠２に対して開閉可能に軸支されている。そして、この本体枠３が遊技盤１０（図２を参照）を保持したとき、「遊技盤１０の盤面（表面）に構成される遊技領域１１」が、本体枠３の前方から視認可能とされる。
【００２６】
前面枠４は、本体枠３の前面側に配置され、本体枠３の左端に開閉可能に支持されている。この前面枠４は、前後に貫通する視認窓４１ａを具備する枠本体４１と、視認窓４１ａに填め込まれたガラス板４３とを備える。そして、遊技盤１０に形成された遊技領域１１が前面枠４を閉じたときにその背後に位置するため、遊技領域１１は視認窓４１ａを介して前面枠４の前方から視認可能とされる。また、「上皿部材５および下皿部材６を一体化した皿部材５Ａ」は前面枠４に一体化され、本体枠３に対して前面枠４と一体で開閉可能とされている。
【００２７】
本遊技機１では、前面部の上方側および下方側の左右にスピーカＳＰ１〜ＳＰ４を内蔵し、これらのスピーカＳＰ１〜ＳＰ４を用いて遊技状態に応じた効果音や、その他の音（音声）を発生させる。また、前面枠４の前面部において、上皿部材５の配置位置を構成する箇所には、遊技機１から排出される遊技球を受け入れるための受入口５ｂを備える。更に、上皿部材５の裏側には、球貸表示基板４１０（図１６を参照）および演出ボタン基板２２８（図５を参照）が設けられ、上皿部材５の上面部には「演出ボタンＳＷ」が配置されている。
【００２８】
上皿部材５の下方の部位には下皿部材６が設けられ、この下皿部材６の略中央には、その略容器形状とされる内部に上皿部材５から排出される遊技球を受け入れるための受入口６ａを備えている。また、下皿部材６の右端側には発射ハンドル９が設けられている。そして、本体枠３の前面部裏側であって、遊技盤１０よりも下方の左端側に位置する部位には、発射ハンドル９が接続された発射装置ユニット９０（図２を参照）が配設されている。なお、発射ハンドル９には、遊技者が触れていることを検知するタッチスイッチ（タッチセンサ）９ａが装着されており、その近傍には、遊技球の発射を一時的に停止するための発射停止スイッチ９ｂが装着されている。
【００２９】
ｂ．遊技盤１０の構成
次に、遊技盤１０の構成について図２を用いて説明する。この遊技盤１０は正面視で略矩形状で無色透明なアクリル板を用いて構成される遊技盤本体１０Ａを備え、遊技盤本体１０Ａの前面部には樹脂製若しくは金属性の帯状体で構成される外側レール１２及び内側レール１３が配設されている。そして、遊技盤本体１０Ａの前面部のうち、外側レール１２および内側レール１３が形成する略円形若しくは略楕円形の周壁で略包囲された部位によって遊技領域１１が構成されている。
【００３０】
遊技盤本体１０Ａの前面部であって遊技領域１１内の部位には、中央装置２０と、第１始動口１７ａと、第２始動口１７ｂと、大入賞口３１ａと、一般入賞口４５、４６、４７と、普通図柄作動ゲート１６と、風車１９等の盤部品が設けられ、遊技領域１１外の部位には情報表示装置６０が設けられている。ここで、大入賞口３１ａは大入賞装置３１の入口部分によって構成され、第２始動口１７ｂは可変式の始動入賞装置の入口部分によって構成されている。なお、遊技領域１１の最下部にアウト口１０が形成され、遊技領域１１には、多数の障害釘（図示を省略）は各盤部品との位置バランスを考慮して、遊技領域１１にパチンコ遊技に適するべく配設されている。
【００３１】
図２に示すように、内側レール１３は略Ｕ字形状に配置されつつ、左端部が遊技盤１０の左上部に配設され、その左側方に位置する「外側レール１２の左上部」との間に「遊技球が通過可能な隙間」を設け、球進入口１１Ｓを形成している。また、外側レール１２の左端部は、発射装置ユニット９０の球出口９６ｊの斜め左上に近接配置されている。そして、発射装置ユニット９０から発射され、外側レール１２の内側を転動しつつ上昇する遊技球（符号Ｙを参照）は球進入口１１Ｓを通じて遊技領域１１に放出される。
【００３２】
中央装置２０は、図２に示すように枠部材２１と演出表示装置２７とを備えている。このうち、枠部材２１は、演出表示装置２７の外縁を囲む盤面装飾用の部材を構成している。この枠部材２１には、正面視で略矩形状の開口部が前後に貫通する状態に設けられ、この開口部によって演出表示装置２７の表示画面２７ａ（後述する。）を遊技盤１０の前方から視認可能とするための表示窓２１ｅを構成している。
【００３３】
演出表示装置２７は液晶表示装置（液晶パネル）を用いて構成され、情報表示装置６０における特別図柄の変動表示および停止表示に合わせて図柄変動演出を実行する。また、演出表示装置２７の表示画面２７ａは、図３（ａ）に示すように、その略全体が表示領域となり、この表示領域に背景を示す図柄（背景図柄）や背景色（青、赤等の画面の地色）等を表示可能である。そして、この背景図柄や背景色の前面に重ね合わせた状態で３つ（３桁）の演出図柄を表示する演出図柄表示領域２７ｂが、表示画面２７ａ上に設けられる。
【００３４】
図３（ａ）に示すように、表示画面２７ａの縁部側には第１保留表示領域２７Ｄと、第２保留表示領域２７Ｅが設けられる。このうち、第１保留表示領域２７Ｄでは、第１始動口１７ａへの入球に基づいて生ずる「第１特別図柄」に関する取得情報（第１保留情報）の数（以下、「第１保留数」という。）が、「４個」を上限個数として表示され、第２保留表示領域２７Ｅでは、第２始動口１７ｂへの入球に基づいて生ずる「第２特別図柄」に関する取得情報（第２保留情報）の数（以下、「第１保留数」という。）が「４個」を上限個数として表示される。ここで、以下の説明において、第１始動口１７ａに遊技球が入球することを「第１始動入賞（第１始動入球）」と称し、第２始動口１７ｂに遊技球が入球することを「第２始動入賞（第２始動入球）」と称することがある。また、特別図柄（第１特別図柄、第２特別図柄）に関する未消化の取得情報（乱数、変動に関する情報）とは、始動口（１７ａ、１７ｂ）に入球したが、当該入球に伴う当否判定（後述する第１当否判定若しくは第２当否判定）と、特別図柄（第１特別図柄、第２特別図柄）の変動表示とがなされていない情報であり、始動入賞時（第１始動入賞時若しくは第２始動入賞時）に取得した取得情報であって、未だ消化（当否判定、変動表示）が保留されているものを指す。そして、何れの保留表示領域２７Ｄ、２７Ｅも、始動口１７ａ、１７ｂへの入球に基づき取得されたが、未消化の取得情報（乱数、変動に関する情報）の数が「保留図柄の表示数」によって示され、未消化の取得情報が消化される毎に「保留図柄の表示数」が順次、デクリメントして表示される。
【００３５】
図２に戻って更に説明すると、第１始動口１７ａは非可変式の始動口であり、大きさが不変の開口部（遊技球受入口）を上方に開口させている。また、第１始動口１７ａの開口部の大きさは、１球の遊技球の通過を許容する大きさとされ、その大きさが拡大されたり縮小されたりすることはない。そして、第１始動口１７ａに入球した遊技球は、遊技盤本体１０Ａの後面に装着された通路部材（図示を省略）の第１始動口通路に流入し、この第１始動口通路に配置された第１始動口入球検知スイッチ１７ｓ（図５参照）によって検知される。
【００３６】
第２始動口１７ｂは第１始動口１７ａの下方に配置されている。この第２始動口１７ｂは普通電動役物として設けられるものであり、いわゆるチューリップ式で左右に一対の可動翼片１７ｅ、１７ｆが開閉するべく形成され、一対の可動翼片１７ｅ、１７ｆを作動させるための普通電動役物ソレノイド１７ｃ（図５参照）を備える。また、第２始動口１７ｂの内部には、当該第２始動口１７ｂに入球した遊技球を検知するための第２始動口入球検知スイッチ１７ｔが配置されている（図５参照）。
【００３７】
普通電動役物ソレノイド１７ｃに通電を行わないと、一対の可動翼片１７ｅ、１７ｆが立設状態（図２の実線を参照）とされ、一対の可動翼片１７ｅ、１７ｆ間に１球の遊技球の通過を許容する大きさの遊技球受入口が設けられ、第２始動口１７ｂへの遊技球の入球可能性が低い閉鎖状態（第１の態様）となる。一方、普通電動役物ソレノイド１７ｃに通電を行うと、一対の可動翼片１７ｅ、１７ｆが、下端部側を支点として互いの上端部間の間隔を拡大するように傾動し（図２の破線を参照）、遊技球の入球可能性が高くなる開放状態（第２の態様）となる。ここで、本遊技機１で開放延長機能を備え、遊技状態が、開放延長機能が作動する開放延長状態である場合、第２始動口１７ｂが開放状態（第２の態様）となる時間が長くなる（例えば、「５秒」）。一方、開放延長機能が作動しない非開放延長状態である場合には、第２始動口１７ｂが開放状態（第２の態様）となる時間が短くなる（例えば、「０．２秒」）。
【００３８】
第２始動口１７ｂの右斜め上方には大入賞装置３１が配置されている。この大入賞装置３１は、遊技盤１０の前面部で開口する大入賞口３１ａと、この大入賞口３１ａを開放・閉鎖するための開閉板３１ｂと、この開閉板３１ｂを駆動するための大入賞口ソレノイド３１ｃ（図５参照）と、大入賞装置３１に入球した遊技球を検知するための大入賞口入球検知スイッチ３１ｓ（図５参照）とを備えている。この大入賞装置３１は、開閉板３１ｂが起立姿勢となると、開閉板３１ｂによって大入賞口３１ａが閉鎖され、大入賞口３１ａへの遊技球の入球が不可能となり、開閉板３１ｂが前傾姿勢となると、大入賞口３１ａが開放され、大入賞口３１ａへの遊技球の入球が可能となる。
【００３９】
遊技領域１１において第１始動口１７ａの左側方には、一般入賞口４５、４６、４７が設けられている。そして、何れの一般入賞口４５、４６、４７に入球した遊技球は、裏樋部（図示を省略）に流入し、当該裏樋部に設けられた一般入球検知スイッチ４５ｓ（図５参照）で検知される。また、中央装置２６の左側方には普通図柄作動ゲート１６が設けられている。この普通図柄作動ゲート１６は、遊技盤本体１０Ａの前面部から突出する状態に配置され、通過検知スイッチ１６ｓ（図５を参照）を備え、普通図柄作動ゲート１６を上方から下方に通過する遊技球を検知可能である。
【００４０】
情報表示装置６０は、遊技盤１０の表面部であって、遊技領域１１の外側（遊技盤１０の表面外縁）に該当する外縁部１０Ｂのうち左下部位（左下外縁部）に配置されている。この外縁部１０Ｂの左下部位は視認窓４１ａの左下方側を介して前方から視認可能な部位であるため、情報表示装置６０は前面枠４の前方からガラス板４３を通じて視認可能とされている（図１を参照）。この情報表示装置６０は、図３（ｃ）に示すように基板６０Ａを備え、この基板６０Ａに対して、第１特別図柄表示部６２ａと、第２特別図柄表示部６２ｂと、普通図柄表示部６３と、第１特別図柄保留表示部６４ａと、第２特別図柄保留表示部６４ｂと、普通図柄保留表示部６５等が設けられている。
【００４１】
第１特別図柄表示部６２ａ、第２特別図柄表示部６２ｂおよび普通図柄表示部６３は、何れも「７セグメント表示体」を用いて構成されている。このうち、第１特別図柄表示部６２ａでは、「第１始動入賞」に基づいて第１特別図柄の変動表示を行い、変動表示の実行時間が経過すると、第１特別図柄に関する当否判定の結果が一定時間（例えば０．６秒）表示される。また、第２特別図柄表示部６２ｂでは「第２始動入賞」に基づいて第２特別図柄の変動表示を行い、変動表示の実行時間が経過すると、第２特別図柄に関する当否判定の結果が一定時間（例えば０．６秒）表示される。そして、特別図柄に関する当否判定の結果が「外れ」である場合には、特別図柄表示部（６２ａ若しくは６２ｂ）に外れ図柄が表示され、特別図柄に関する当否判定の結果が「大当り」である場合には、大当り図柄が表示される。
【００４２】
普通図柄表示部６３も、図３（ｃ）に示すように「７セグメント表示体」によって構成され、普通図柄作動ゲート１６を遊技球が通過することに基づいて図柄変動開始条件が成立すると普通図柄の変動表示を開始する。この普通図柄の変動表示は、普通図柄表示部６３において「０」〜「９」までの算用数字をこの順で表示した後、再び、「０」〜「９」までの算用数字をこの順で表示することを繰り返す「循環表示」によって構成される。そして、普通図柄の変動表示の実行時間が経過すると、普通図柄の変動表示の結果（普通図柄に関する当否判定の結果）が一定時間（例えば、０．５秒）表示される。このとき、停止表示された普通図柄が「奇数数字」である場合、その図柄が普通図柄の当り図柄に該当し、停止図柄が「偶数数字」である場合、その図柄が普通図柄の外れ図柄に該当する。
【００４３】
第１特別図柄保留表示部６４ａ、第２特別図柄保留表示部６４ｂおよび普通図柄保留表示部６５は何れも２個のＬＥＤを備え、対応する図柄（第１特別図柄、第２特別図柄、普通図柄）に関する保留数をＬＥＤの点灯数、駆動態様によって表示する。例えば、消灯状態のＬＥＤは「ゼロ」を表示し、点灯状態のＬＥＤは「１」を表示し、点滅状態のＬＥＤは「２」を表示することとすれば、２個のＬＥＤを用いて「ゼロ」〜「４」の整数を表示できる。
【００４４】
ｃ．遊技機１の裏面構造
次に、本実施例の遊技機１の裏面構造について図４を参照して説明する。つまり、遊技機１の裏面構造は、裏機構盤１０２に各種装置が搭載された構造となっており、裏パック１０２は、一対のヒンジ（図示を省略）によって本体枠３に開閉可能に軸支されている。
【００４５】
この裏機構盤１０２には、遊技球が蓄えられる遊技球タンク１０５と、賞球または貸球としての遊技球の払い出しを行う遊技球払出装置１０９と、「主制御部２００Ａを構成する主制御基板２００」を主制御基板ケース７１に収納して構成される主制御基板装置７０と、「発射装置ユニットを制御する発射制御基板２６０」を発射装置制御基板ケースに格納して構成される発射装置制御基板装置（図示を省略）と、「遊技球払出装置１０９を制御する払出制御基板２４０」を払出制御基板ケースに格納して構成される払出制御基板装置９０Ａと、「演出装置（演出表示装置２７、スピーカＳＰ１〜４、電飾装置）を制御するサブ制御基板２２０」をサブ制御基板ケースに格納して構成されるサブ制御装置１００Ａと、中継端子板などが搭載されている。
【００４６】
ここで、主制御基板ケース７１は、本発明の「基板収納ケース」の具体例を構成するが、その他の制御基板ケース（「サブ制御基板ケース」、「発射装置制御基板ケース」、「払出制御基板ケース」等）が本発明に示す「基板収納ケース」の具体例を構成してもよい。なお、主制御基板ケース７１の詳細については後述する。
【００４７】
（２）制御回路の構成
次に、図５を用いて本実施例の遊技機１の制御回路の構成について説明する。本遊技機１の制御回路は、主制御基板２００を用いて構成されるとともに遊技の基本的な進行や賞球に関わる当否についての制御を司る主制御部２００Ａと、複数の副制御部（２２０Ａ、２２２Ａ、２４０Ａ、２６０Ａ）を備える。また、副制御部としては、（ａ）サブ制御基板２２０を用いて構成され、遊技上の演出の制御を司るサブ制御部２２０Ａと、（ｂ）演出表示制御基板２２２を用いて構成され、演出表示装置２７の制御を司る演出表示制御部２２２Ａと、（ｃ）払出制御基板２４０を用いて構成され、貸球や賞球を払い出す動作の制御を司る払出制御部２４０Ａと、（ｄ）発射制御基板２６０を用いて構成され、遊技球の発射に関する制御を司る発射制御部２６０Ａを備える。
【００４８】
これらの制御部（２００Ａ、２２０Ａ、２２２Ａ、２４０Ａ、２６０Ａ）を構成する制御基板（２００、２２０、２２２、２４０、２６０）は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマなど、種々の周辺ＬＳＩがバスで相互に接続されて構成されている。尚、図５中の矢印の向きは、データあるいは信号を入出力する方向を表している。
【００４９】
主制御部２００Ａは、通過検知スイッチ１６ｓ、第１始動口入球検知スイッチ１７ｓ、第２始動口入球検知スイッチ１７ｔ、一般入賞口入球検知スイッチ４５ｓ、大入賞口入球検知スイッチ３１ｓ等から遊技球の検知信号を受け取って、遊技の基本的な進行や賞球に関わる当否を決定した後、サブ制御部２２０Ａや、払出制御部２４０Ａ、発射制御部２６０Ａ等に向かって、後述する各種の信号（コマンド）を出力する。また、主制御部２００Ａ（主制御基板２００）を構成するＣＰＵ２０１により決定された所定の信号（コマンド）は、サブ制御基板２２０や払出制御基板２４０に対してそれぞれ送信される。
【００５０】
サブ制御部２２０Ａ（サブ制御基板２２０）は、主制御部２００Ａ（主制御基板２００）からの各種信号（コマンド）を受け取ると、信号（コマンド）の内容を解析して、その結果に応じた遊技の演出を行う。つまり、サブ制御部２２０Ａ（サブ制御基板２２０）は、主制御部２００Ａ（主制御基板２００）からの制御信号に基づいて遊技の演出の制御を司るものである。このサブ制御部２２０Ａ（サブ制御基板２２０）には、演出表示制御部２２２Ａ（演出表示制御基板２２２）と、アンプ基板２２４と、装飾駆動基板２２６と、演出ボタン基板２２８と、にそれぞれ電気的に接続され、演出表示制御部２２２Ａ（演出表示制御基板２２２）には演出表示装置２７が電気的に接続されている。また、サブ制御基板２２０は、ＣＰＵ２２０ａと、ＲＡＭ２２０ｂと、ＲＯＭ２２０ｃとを備えている。
【００５１】
サブ制御基板２２０のＣＰＵ２２０ａは、主制御基板２００からの制御信号を受けて演出表示制御基板２２２、アンプ基板２２４、装飾駆動基板２２６及び演出ボタン基板２２８などの各基板を制御する。また、ＲＯＭ２２０ｂには、各基板の制御に必要なデータ（特に遊技の装飾に関する情報）が記憶されている。また、ＣＰＵ２２０ａは、主制御部２００Ａ（主制御基板２００）から送出された表示制御コマンド（つまり、表示制御信号）を受信すると共に、ＲＯＭ２２０ｂに記憶されたプログラムに従って解析する。そして、サブ制御部２２０Ａ（サブ制御基板２２０）を構成するＣＰＵ２２０ａは、このＣＰＵ２２０ａにより決定された所定の表示制御コマンドや、主制御部２００Ａ（主制御基板２００）から送信されたままの表示制御コマンドを演出表示制御部２２２Ａ（演出表示制御基板２２２）に対して送信する。
【００５２】
アンプ基板２２４には、所定の効果音を出力するスピーカＳＰ１〜ＳＰ４が電気的に接続されている。また、装飾駆動基板２２６には、前面枠４や遊技盤１０等に設けられる装飾用の各種ＬＥＤ（ランプ）を搭載した各種ＬＥＤ基板が接続されている。また、装飾駆動基板２２６は、サブ制御基板２２０Ａからの信号を受けて遊技の装飾に関する制御を行うものである。
【００５３】
払出制御部２４０Ａには、発射制御部２６０Ａ及び主制御部２００Ａが双方向通信可能な状態に接続されている。この払出制御部２４０Ａは、所謂、貸球や賞球の払い出しに関する各種の制御を司っている。例えば、遊技者が貸出スイッチ５ｃや返却スイッチ５ｑを操作すると、その操作信号は、球貸表示基板４１０から中継端子板を介して払出制御基板２４０に伝達され、その操作信号に基づいて払出モータ１０９ｍを駆動させるための駆動信号が、遊技球払出装置（払出装置）１０９（払出モータ１０９ｍ）に伝達される。
【００５４】
また、主制御部２００Ａが賞球の払出コマンドを出力すると、このコマンドを払出制御部２４０Ａが受け取って、払出モータ１０９ｍに駆動信号を出力することによって賞球の払い出しが行われる。また、払い出される遊技球は、２つの払出スイッチ（前側払出スイッチ１０９ａ、後側払出スイッチ１０９ｂ）によって検出されて、払出制御部２４０Ａに入力される。更に、払い出された賞球数はカウントスイッチ１０９ｃによっても検出されて、主制御部２００Ａでも計数されている。
【００５５】
次に、サブ制御部２２０Ａ（サブ制御基板２２０）に対する信号或いはコマンドの入出力関係について説明する。前述のように、サブ制御部２２０Ａ（サブ制御基板２２０）には、演出表示制御基板２２２と、アンプ基板２２４、装飾駆動基板２２６、演出ボタン基板２２８などの各種基板が接続されている。また、サブ制御部２２０Ａは、前述のように、主制御部２００Ａから各種の演出用のコマンド（表示制御コマンドなど）を受け取ると、コマンドの内容を解釈して、（ａ）演出表示装置２７の具体的な表示内容、（ｂ）スピーカＳＰ１〜４で出力する効果音、更には、（ｃ）各種ＬＥＤ基板４ｂ〜４ｈ等に搭載された各種ＬＥＤや、その他のランプ類の点灯若しくは点滅の具体的な態様を決定する。
【００５６】
次いで、演出表示装置２７の駆動信号（各種の図柄制御コマンド）を演出表示制御部２２２Ａに出力して、演出図柄の変動表示及び停止表示や背景図柄、キャラクタ図柄の表示等を行う。このとき、表示される演出用の各種図柄（演出図柄、背景図柄、キャラクタ図柄、実写映像等）の表示データ（静止画像データ、動画像データなど）については、演出表示装置２７、或いは、演出表示制御基板２２２に内蔵された表示用ＲＯＭ（図示を省略）に格納されているデータを使用する。
【００５７】
演出図柄の変動表示及び停止表示に合わせて、音声信号をアンプ基板２２４に出力することによって、スピーカＳＰ１〜ＳＰ４から効果音を出力する。加えて、装飾駆動基板２２６に信号を供給し、装飾駆動基板２２６から、各種ＬＥＤランプの駆動信号を出力することによって、各ＬＥＤランプの点灯・点滅動作等を制御する。また、演出ボタンＳＷを遊技者が操作すると（指示入力を行うと）、この操作信号（指示入力信号）がサブ制御部２２０Ａに供給される。そして、サブ制御部２２０Ａは、供給された操作信号に基づいて、演出表示装置２７を初めとする各種の演出内容に操作結果を反映させることが可能に構成されている。
【００５８】
（３）遊技機１による遊技の流れ
次に、本実施例の遊技機１で行われる遊技の概要について、図６および図７を用いて簡単に説明する。
【００５９】
ａ．普通図柄の変動表示
普通図柄の変動表示は、図６に示すように、普通図柄作動ゲート１６を遊技球が通過することに基づいて普通図柄表示部６３において開始される（Ｓ１、Ｓ２）。この普通図柄の変動表示は、普通図柄表示部６３に当り図柄若しくは外れ図柄を停止表示することで終了する。そして、普通図柄表示部６３に当り図柄が停止表示されると（Ｓ３）、第２始動口１７ｂが一定時間開放状態（第２状態）となり（Ｓ４）、普通図柄表示部６３に外れ図柄が停止表示されると（Ｓ５）、第２始動入賞装置１７ｂは閉鎖状態（第１状態）を維持する（Ｓ６）。
【００６０】
ここで、普通図柄表示部６３に当り図柄が停止表示される場合において、開放延長機能が作動しない通常開放状態であるときには、第２始動口１７ｂの開放時間が短く（例えば、０．２秒）されるため、第２始動口１７ｂに遊技球が入球する可能性が低くなる。一方、普通図柄表示部６３に当り図柄が停止表示される場合において、開放延長機能が作動する開放延長状態であるときには、第２始動口１７ｂの開放時間が長く（例えば、５秒）される。
【００６１】
ｂ．特別図柄の変動表示および図柄変動演出
本遊技機１では、図７に示すように、第１始動入賞に基づいて、第１特別図柄表示部６２ａにおいて「第１特別図柄に係る変動表示」が実行され、第２始動入賞に基づいて、第２特別図柄表示部６２ｂにおいて「第２特別図柄に係る変動表示」が実行される（Ｓ１１、Ｓ１２）。ここで、停止図柄および特別図柄（第１特別図柄、第２特別図柄）の変動時間は、対応する「特別図柄の変動表示」を開始する際に決定される。また、「第１特別図柄に係る変動表示」若しくは「第２特別図柄に係る変動表示」の実行に伴って演出表示装置２７において図柄変動演出が実行される。
【００６２】
「第１特別図柄に係る変動表示」および「第２特別図柄の変動表示」は、図３（ｂ）に示すように、対応する特別図柄表示部（６２ａ若しくは６２ｂ）を構成する７セグメント表示体によって、算用数字を構成できない不完全な図柄（以下、不完全図柄という。）の「循環表示」を行うことを内容とする。そして、第１特別図柄に係る変動表示における停止表示態様によって「第１始動入賞」に基づいて実行される特別図柄に関する当否判定（以下、「第１当否判定」という。）の結果が表示され、第２特別図柄に係る変動表示における停止表示態様によって「第２始動入賞」に基づいて実行される特別図柄に関する当否判定（以下、「第２当否判定」という。）の結果が表示される。
【００６３】
遊技機１の確率状態が通常確率状態（低確率状態）である場合には、第１当否判定および第２当否判定の何れにおいても大当りを示す判定結果が導出される確率は約「１／３１５」とされ、遊技機１の確率状態が高確率状態である場合には、第１当否判定および第２当否判定の何れにおいても、大当りを示す判定結果が導出される確率は約「１／３１．５」とされる。そして、何れかの特別図柄表示部６２ａ、６２ｂに大当りを示す判定結果が停止表示されると「大当り」が発生し、大当り遊技実行手段が駆動して大当り遊技が実行される。
【００６４】
本実施例では、当否判定の結果が大当りの場合、特別図柄表示部６２ａ（６２ａ若しくは６２ｂ）に停止表示される大当り図柄が乱数抽選を用いて決定される。具体的には、第２当否判定の結果が大当りの場合、乱数抽選（振分抽選）によって、大当り図柄が「１６Ｒ確変大当りの発生を示す大当り図柄若しくは「１６Ｒ通常大当りの発生を示す大当り図柄」に決定される。また、第１当否判定の結果が大当りの場合、乱数抽選によって、大当り図柄が「１６Ｒ通常大当りの発生を示す大当り図柄」、「４Ｒ確変大当りの発生を示す大当り図柄」および「４Ｒ通常大当りの発生を示す大当り図柄」のうち何れかに決定される。
【００６５】
大当り遊技を開始すると、主制御部２００Ａが大入賞口ソレノイド３１ｃの駆動及び駆動停止を行うことで「大入賞口３１ａを開閉する開閉動作」が実行される。そして、大当り遊技中の各ラウンド遊技においては、大入賞装置３１に対して、大入賞口３１ａを１回だけ開放状態（入球可能状態）に変化させる開閉動作が施される。なお、大入賞口３１ａに規定入賞数（１０個）の遊技球が入球するか、或いは、大入賞口３１ａの開放時間が開放限度時間（３０秒）に到達すると、ラウンド終了条件が成立して、実行中のラウンド遊技（大当りラウンド）を終了する。そして、大入賞装置３１の開閉動作が、所定のインターバルを挟みつつ複数回繰り返されると大当り遊技を終了する。
【００６６】
「１６Ｒ確変大当り」若しくは「１６Ｒ通常大当り」を生ずると「ラウンド遊技」の実行回数が「１６回」の大当り遊技Ａが実行され、「４Ｒ確変大当り」若しくは「４Ｒ通常大当り」を生ずると「ラウンド遊技」の実行回数が「４回」の大当り遊技Ｂが実行される。また、「１６Ｒ確変大当り」若しくは「４Ｒ確変大当り」を生ずると、対応する大当り遊技の終了後には確率変動手段が作動し、当否判定の結果が大当りとなる確率（大当り確率）が高確率とされる状態（高確率状態）となる。また、「１６Ｒ確変大当り」若しくは「４Ｒ確変大当り」を生ずると大当り遊技の終了後には開放延長手段が作動し、第２始動口１７ｂの開放時間が延長される状態（開放延長状態）となる。この高確率状態および開放延長状態は、大当り遊技の終了後に大当りを生ずることなく実行される特別図柄変動遊技の累積回数が「１０，０００回」になるまで（実質的に、次回の大当りを生ずるまで）継続される。
【００６７】
「１６Ｒ通常大当り」若しくは「４Ｒ通常大当り」を生ずると、対応する大当り遊技の終了後には、確率変動手段が作動を開始しないため、遊技機１の確率状態が通常確率状態（低確率状態）とされる。また、当該大当り遊技の終了後に開放延長手段）が作動し、第２始動口１７ｂの開放時間が延長される状態（開放延長状態）となる。この開放延長状態は、大当り遊技の終了後に大当りを生ずることなく実行される特別図柄変動遊技の累積回数が「１００回」になるまで継続される。
【００６８】
（３）主制御基板装置７０の構成
主制御基板装置７０は、図８および図９を用いて示されるように、主制御基板ケース７１と、主制御基板２００と、封止具８０とを備える。
【００６９】
主制御基板２００は、図１２（ｂ）に示すように、導体パターン部及びスルーホール部（図示を省略）等が形成された絶縁基板２０１と、この絶縁基板２０１に実装された電子部品２０２（「ＩＣ、トランジスタ、ダイオード、オペアンプ等の能動素子」、「抵抗、コイル、コンデンサ等の受動素子」、「コネクタ等の接続端子」等）と、を備える。また、絶縁基板２０１の４隅には、この基板を主制御基板ケース７１に取付けるための取付孔２０３が、肉厚方向に貫通する状態に設けられている。
【００７０】
主制御基板ケース７１は、「基板収納ケース」の具体例を構成するものであり、図８及び図９に示すように、ケース本体７２とケース蓋７５とを備える。このケース本体７２とケース蓋７５とを組み合わせて、内部に主制御基板２００が収納される収納空間を形成する。また、この主制御基板ケース７１の正面形状は横長の略矩形とされるが、ケース蓋７５が遊技者に近接する側に配置され、ケース本体７１がケース蓋７５の後方に配置される。そして、主制御基板ケース７１は、その長手方向が左右を向き、短手方向が上下を向くようにしつつ裏機構盤１０２に装着されている（図４を参照）。ここで、ケース本体７２が「第１ケース体」の具体例を構成し、ケース蓋７５が「第２ケース体」の具体例を構成する。
【００７１】
なお、各図に「上の文字と矢印」を併記した部分では、主制御基板ケース７１が裏機構盤１０２に装着されたときの「鉛直上方」を当該矢印が指し示している。また、各図に「Ｂの文字と矢印」を併記した部分では、「一端側」を当該矢印が指し示し、各図に「Ｃの文字と矢印」を併記した部分では、「他端側」を当該矢印が指し示している。更に、以下の説明においては、主制御基板ケース７１が裏機構盤１０２に装着されたときに、遊技者に近接する方向を「前方」と称し、遊技者に近接する「面」を「前面」と称し、各図に「前の文字と矢印」を併記した場合、この「前方」を当該矢印が指し示している。また、遊技者に離間する方向を「後方」と称し、遊技者に離間する「面」を「後面」と称し、各図に「後の文字と矢印」を併記した場合、この「後方」を当該矢印が指し示している。
【００７２】
ケース本体７２は透明な合成樹脂を用いた一体成形品であり、図１０および図１１に示すように、開口部７２Ａを前方に向けて配置されている。そして、横方向に長尺な略矩形板状に構成される基板部７２ａと、基板部７２ａの縁部から立ち上げられた周壁部７２ｂとを備える。この周壁部７２ｂは、基板部７２ａの一端縁から立ち上げられた側壁部（以下、「第１短手壁Ｄ１」という）と、基板部７２ａの下端縁から立ち上げられた側壁部（以下、「第１長手壁Ｄ２」という）と、基板部７２ａの他端縁から立ち上げられた側壁部（以下、「第２短手壁Ｄ３」という）と、基板部７２ａの上端縁から立ち上げられた側壁部（以下、「第２長手壁Ｄ４」という）とを備える。また、基板部７２ａは、後面部７２ｄを後方（遊技者と逆方向）に向けて配置し、前面部７２ｅ（図１１を参照面）をケース蓋７５の基板部７５ａ（後述する）と前後に対向させつつ、主制御基板２００を収納するための収納空間を形作る面部分を構成する。また、第１短手壁Ｄ１および第２短手壁Ｄ３は基板部７２ａの短手方向に沿って設けられ、第１長手壁Ｄ２および第２長手壁Ｄ４は基板部７２ａの長手方向に沿って設けられる。
【００７３】
図１０および１１に示すように、基板部７２ａには、図１２（ｂ）に示すコネクタＣ１（主制御基板２００にハーネスを接続するための電子部品２０２）を通過させるための通過孔７２ｈが設けられている。また、図１１に示すように、正面視が略矩形の前面部７２ｅの各隅部寄りであって、通過孔７２ｈを避けた位置から支持部７２ｊが前方に向かって突出している。そして、この主制御基板装置７０においては、図１２（ａ）および（ｂ）に示すように、主制御基板２００の裏面部（電子部品２０２を搭載した面）を基板部７２ａの前面部７２ｅに対向させつつ、主制御基板２００の４隅の取付孔２０３を対応する支持部７２ｊの雌ネジ部７２ｍに位置合わせする。そして、主制御基板２００の表面部側から雌ネジ部７２ｍに向かって、ビス７２ｎの雄ネジ部７２ｐを螺合することで、主制御基板２００はケース本体７２に固定されている。
【００７４】
また、図１１および図１３（ａ）に示すように、第１長手壁Ｄ２および第２長手壁Ｄ４からはケース本体７２の外側に向かって補助壁Ｄ５、Ｄ６が突出している。これらの補助壁Ｄ５、Ｄ６は、基板部７２ａの長手方向に沿って長尺に構成されるとともに、略Ｌ字の断面（長手方向に直交する断面）を備える。そして、補助壁Ｄ５、Ｄ６は対応する長手壁（第１長手壁Ｄ２若しくは第２長手壁Ｄ４）から外方に向かって略垂直に突出する第１突出部Ｄ７、Ｄ７と、第１突出部Ｄ７、Ｄ７の突端から略垂直に（開口部７２Ａの方向に）突出する第２突出部Ｄ８、Ｄ８とを備え、各第２突出部Ｄ８、Ｄ８は、所定の間隔をおいて対応する長手壁（第１長手壁Ｄ２、第２長手壁Ｄ４）と略平行に配置される。
【００７５】
このため、第１長手壁Ｄ２および第２長手壁Ｄ４の前方側（開口部７２Ａ側）においては、第１突出部Ｄ７、Ｄ７を溝底としつつ、基板部７２ａの長手方向に長尺な挿入溝Ｍ１、Ｍ２を構成している。そして、各挿入溝Ｍ１、Ｍ２においては、所定の間隔をおいて６個の被係合部７２ｒが設けられている。これらの被係合部７２ｒは、第１長手壁Ｄ２および第２長手壁Ｄ４の前方側（開口部７２Ａ側）において、各第２突出部Ｄ８、Ｄ８と、対応する長手壁（第１長手壁Ｄ２、第２長手壁Ｄ４）との間を掛け渡す小片を用いて構成されている。
【００７６】
図１０および図１１に示すように、「第１短手壁Ｄ１」の下方側からは本体側封止部７３が突出（主制御基板ケース７０の外側方向に突出）し、「第１短手壁Ｄ１」の上方側からはスライド挿入部７２ｓが突出（主制御基板ケース７０の外側方向に突出）している。また、図１１および図１４に示すように、「第２短手壁Ｄ３」の前方側（開口部７２Ａ側）の上端側および下端側にはスライド被挿入部７２ｔ、７２ｔが設けられている。そして、このスライド被挿入部７２ｔ、７２ｔには、後述するケース蓋７５の係合突起ｔ３が挿入される被挿入孔７２１ｔ、７２１ｔが設けられている。
【００７７】
図１５（ａ）に示すように、本体側封止部７３は、上下に並ぶ２個の封止本体７３ａ、７３ａと、封止本体７３ａ、７３ａの周囲から延出された支持部７３ｂ、７３ｂとを備える。このうち、支持部７３ｂ、７３ｂは薄板状に構成され、厚み方向を前後に向けつつ第１短手壁Ｄ１と封止本体７３ａ、７３ａとの間に介在され、封止本体７３ａ、７３ａを第１短手壁Ｄ１に固定している。更に、上下に並ぶ２個の支持部７３ｂ、７３ｂは一体化されている。
【００７８】
図１６（ａ）および（ｂ）に示すように、封止本体７３ａ、７３ａは軸心を前後に向けた略筒形状に構成される本体部７３ｃ、７３ｃと、本体部７３ｃ、７３ｃの一端に設けられた底部７３ｄ、７３ｄとを備える有底の筒形状とされている。また、本体部７３ｃは軸心方向に一定の内径を備え、底部７３ｄには本体部７３ｃの軸心の延長線状に貫通孔７３ｅを備える。そして、この貫通孔７３ｅの軸心は本体部７３ｃの内部空間の軸心（以下、単に本体部７３ｃの軸心Ｊ１という。）と同軸上とされるとともに、貫通孔７３ｅの内径は本体部７３ｃの内径よりも小さくされている。なお、本体部７３ｃ（本体部７３ｃの内部空間）の軸心Ｊ１は、後述するワンウェイネジ８１（封止部材）が主制御基板ケース７１に装着（挿入）されたときに、ワンウェイネジ８１（封止部材）の軸心と同一線上に並ぶことになる。このため、以下の説明において、本体部７３ｃの軸心Ｊ１と称する場合には、主制御基板ケース７１に装着（挿入）されたワンウェイネジ８１（封止部材）の軸心をも示している。
【００７９】
図１５（ｂ）および図１６（ａ）に示すように、本体部７３ｃにおける底部７３ｄ寄りの内壁面であって、本体部７３ｃの軸心Ｊ１回りに所定間隔をおいた複数の位置には凹部７３ｆ、７３ｇが設けられている。具体的には、本体部７３ｃの軸心Ｊ１回りに約９０度隔てた４箇所には凹部７３ｆ（以下、第１凹部７３ｆという。）が設けられ、当該軸心Ｊ１を周回する方向に沿って並ぶ２個の第１凹部７３ｆの中間にも凹部７３ｇ（以下、第２凹部７３ｇという。）が設けられている。
【００８０】
図１５および図１７に示すように、底部７３ｄにおいて、各凹部７３ｆ、７３ｇと位置合わせされる部位（本体部７３ｃの軸心Ｊ１方向に位置合わせされる部位）には、貫通孔７３ｍ、７３ｎが設けられている。具体的には、４個の第１凹部７３ｆの各々に位置合わせされる部位には貫通孔７３ｍ（以下、第１貫通孔７３ｍという。）が設けられ、第２凹部７３ｇに位置合わせされる部位には、貫通孔７３ｎ（以下、第２貫通孔７３ｎという。）が設けられている。なお、図１７（ａ）の仮想円Ｌ１は、本体部７３ｃの内周を示している。
【００８１】
図１７（ｂ）に示すように、何れの第１貫通孔７３ｍも、対応する第１凹部７３ｆと連続するとともに、第１貫通孔７３ｍの「本体部７３ｃの軸心Ｊ１を中心とする半径方向に沿った内側の端部７３ｙ」は、第１凹部７３ｆの「本体部７３ｃの軸心Ｊ１を中心とする半径方向に沿った内側の端部７３ｖ」よりも内側（本体部７３ｃの軸心Ｊ１に近接する側）に位置する。また、第２貫通孔７３ｎは、第２凹部７３ｇと連続するとともに、第２貫通孔７３ｎの「本体部７３ｃの軸心Ｊ１を中心とする半径方向に沿った内側の端部」は、第２凹部７３ｇの「本体部７３ｃの軸心を中心とする半径方向に沿った内側の端部」よりも内側（本体部７３ｃの軸心Ｊ１に近接する側）に位置する。
【００８２】
また、図１５（ａ）に示すように、支持部７３ｂ、７３ｂは、略平板状の薄板部７３１ｂと、略曲板状（特部に半円筒状）の薄板部７３２ｂの組み合わせで構成されている。そして、支持部７３ｂ、７３ｂを工具（ニッパー等）で切断することで、各封止本体７３ａ、７３ａと、第１短手壁Ｄ１とを分離することができる。また、両支持部７３ｂ、７３ｂのうちの一方のみを工具（ニッパー等）で切断することで、一方の封止本体７３ａを第１短手壁Ｄ１とを分離することができる。また、図１１に示すように、両支持部７３ｂ、７３ｂの突端部からは、それぞれ係合突起ｔ１、ｔ１が突出し、スライド挿入部７２ｓの突端部からも係合突起ｔ２が突出している。
【００８３】
ケース蓋７５も、透明な合成樹脂を用いた一体成形品であり、図１８に示すように、後方に開口部７５Ａを向けて配置される略容器形状に構成されている。また、ケース蓋７５は、横方向に長尺な略矩形板状に構成される基板部７５ａと、基板部７５ａの一端縁から立ち上げられた側壁部（以下、「第１短手壁Ｅ１」という）と、基板部７５ａの他端縁から立ち上げられた側壁部（以下、「第２短手壁Ｅ３」という）とを備える。なお、図１８に示すように、基板部７５ａは、その後面部７５ｄが「主制御基板２００の収納空間」を形作る面部分とされ、前面部が遊技機１の前方を向く面部分とされている。
【００８４】
また、基板部７５ａの後面部７５ｄにおいて、基板部７５ａの下端縁の近傍に位置する部位と、上端縁の近傍に位置する部位から挿入壁７５ｅ、７５ｅが突出している。これらの挿入壁７５ｅ、７５ｅが略平行とされつつ、「基板部７２ａの下縁側のスライド挿入溝Ｍ１と、基板部７２ａの上縁側のスライド溝Ｍ２との間の距離」に相当する距離を隔てた状態で配設されている。また、これらの挿入壁７５ｅ、７５ｅには各々６個の係合部７５ｆ設けられている。つまり、下方の挿入壁７５ｅにおいて、下方のスライド挿入溝Ｍ１の各被係合部７２ｒと前後に位置合わせされる箇所には、各々係合部７５ｆが形成されている。
【００８５】
同様に、上方の挿入壁７５ｅにおいて、上方のスライド溝Ｍ２の各被係合部７２ｒと前後に位置合わせされる箇所にも、各々係合部７５ｆが形成されている。また、挿入壁７５ｅ、７５ｅの各係合部７５ｆは、図１９（ａ）に示すように、挿入壁７５ｅ、７５ｅの肉厚方向を貫通しつつ左右に長い略矩形状の孔を用いて構成されている。また、係合部７５ｆにおいて略基板部７５ａの他端縁側に位置する部分は、挿入壁７５ｅ、７５ｅの肉厚方向及び突端面で開口する切り欠き部７５ｇと連続することによって、挿入壁７５ｅ、７５ｅの突端面で開放されている。
【００８６】
そして、図１９（ｂ）に示すように、下方の挿入壁７５ｅの各係合部７５ｆと連続する切り欠き部７５ｇに対して、下部のスライド挿入溝Ｍ１の対応する被係合部７２ｒを進入させ、上方の挿入壁７５ｅの各係合部７５ｆの連続する切り欠き部７５ｇに対して、上方のスライド溝Ｍ２の対応する被係合部７２ｒが進入させる。この後、ケース本体７２を基準にケース蓋７５を横方向に移動させ（若しくは、ケース蓋７５を基準にケース本体７２を横方向に移動させ）、各係合部７５ｆに対して、被係合部７２ｒを進入させることで、計１２個の係合部７５ｆが各々対応する被係合部７２ｒに対して抜け止め方向（前後）に係合することになる。
【００８７】
図１８および図２０（ａ）に示すように、「第１短手壁Ｅ１」の下方側からは蓋側封止部７７が突出（主制御基板ケース７０の外側方向に突出）し、「第１短手壁Ｅ１」の上方側からはスライド被挿入部７９が突出（主制御基板ケース７０の外側方向に突出）している。また、「第２短手壁Ｅ３」の前方側（開口部７５Ａ側）の上端側および下端側には略板状の係合突起ｔ３、ｔ３が突出している。
【００８８】
図２１に示すように、蓋側封止部７７は、外枠部７７ａと、外枠部７７ａ内において上下に並ぶ２個の支持部７８、７８と、両支持部７８、７８間に配置されるリブ７７ｂと、各支持部７８、７８および外枠部７７ａの間に配置されるリブ７７ｃとを備える。この外枠部７７ａは略コの字状の断面を備えるとともに、一端および他端を第１短手壁Ｅ１に一体化させている。この外枠部７７ａは、第１短手壁Ｅ１の下部から略水平に突出する第１板状部７７ｄと、第１短手壁Ｅ１において第１板状部７７ｄの突出箇所によりも上方に所定の間隔を隔てた位置から突出する第２板状部７７ｅと、第１板状部７７ｄの突端および第２板状部７７ｅ間に掛け渡される第３板状部７７ｆと備えている。
【００８９】
各支持部７８は、図２２（ａ）および（ｂ）に示すように、前述の底部７３ｄ（本体側封止部７３）と略当接するように後方を向けて配置される蓋部７８ａと、蓋部７８ａから前方（底部７３ｄとは反対方向）に突出する筒状部７８ｂとを備える。つまり、各支持部７８は、蓋付きの筒形状に構成され、蓋部７８ａを後方に向け、筒状部７８ｂの開口部７８ｙを後方に配置している。そして、リブ７７ｂ、７７ｃを肉薄状に構成するため、リブ７７ｂ、７７ｃを工具（ニッパー等）で切断することで、蓋側封止本体７７と第１短手壁Ｅ１とを分離することができる。
【００９０】
また、図２０（ｂ）に示すように、筒状部７８ｂは、円筒状に構成される本体部７８ｃと、本体部７８ｃの上端から上方に突出する上部突出部７８ｄと、本体部７８ｃの下端から下方に突出する下部突出部７８ｅとを備える。また、本体部７８ｃの略円柱状の内部空間の上端部と、上部突出部７７ｃの略角柱状の内部空間の下端部とは連続し、本体部７８ｃの略円柱状の内部空間の下端部と、下部突出部７８ｅの略角柱状の内部空間の上端部とは連続している。このため、支持部７８の内部空間の断面形状は円の上下に矩形を連続させた構成を備える。
【００９１】
また、上部突出部７８ｄおよび下部突出部７８ｅは、支持部７８の軸心回りに１８０度隔てた位置に設けられている。そして、図２２（ｂ）に示すように、上部突出部７８ｄおよび下部突出部７８ｅは支持部７８の軸心を挟んで対向する内壁部７８ｇ、７８ｈを備えており、この内壁部７８ｇ、７８ｈにおいて、筒状部７８ｂの開口部７８ｙ寄りと、支持部７８の奥側において凹部７８ｍ、７８ｎ（支持部７８の軸心から遠ざかるように凹む凹部）を形成している。
【００９２】
図２３および図２４に示すように、蓋部７８ａの中心位置（支持部７８の軸心Ｊ１位置）には通過孔７８ｊが設けられ、蓋部７８ａの後方を向けられる面（前述の底部７３ｄと略当接する面）であって、通過孔７８ｊの軸心（支持部７８の軸心Ｊ１）を周回する位置には５個の凹部７８ｐ、７８ｑが設けられている。なお、通過孔７８ｊの軸心は、前述の封止本体７３ａ、７３ａの軸心（本体部７３ｃの軸心Ｊ１）の延長線上に存在する。
【００９３】
図２３および図２４に示すように、蓋部７８ａの後方を向けられる面（前述の底部７３ｄと略当接する面）の５個の凹部７８ｐのうちの４個（以下、第３凹部７８ｐという。）は、通過孔７８ｊの軸心（本体部７３ｃの軸心Ｊ１）回りに約９０度隔てた４箇所に設けられ、残りの１個（以下、第４凹部７８ｑという。）は、当該軸心Ｊ１を周回する方向に沿って並ぶ２個の第３凹部７８ｐの中間に設けられている。また、各第３凹部７８ｐは、支持部７８の軸心方向に沿って位置合わせされる第１貫通孔７３ｍと前後に連通し、第４凹部７８ｑは支持部７８の軸心方向に沿って位置合わせされる第２貫通孔７３ｎと連通する。但し、図２４に示すように、支持部７８の軸心方向（本体部７３ｃの軸心Ｊ１方向）に沿って位置合わせされる第３凹部７８ｐと、第１貫通孔７３ｍのサイズを比較すると、第３凹部７８ｐが第１貫通孔７３ｍよりも一まわり大きくされ、第４凹部７８ｑと、第２貫通孔７３ｎのサイズを比較すると、第４凹部７８ｑが第２貫通孔７３ｎよりも一まわり大きくされている。
【００９４】
このため、図２４に示すように、第３凹部７８ｐの「本体部７３ｃの軸心Ｊ１を中心とする半径方向に沿った内側の端部Ｙ１」は、第１貫通孔７３ｍの「本体部７３ｃの軸心Ｊ１を中心とする半径方向に沿った内側の端部Ｚ１」よりも内側（本体部７３ｃの軸心Ｊ１に近接する側）に位置する。また、第３凹部７８ｐの「本体部７３ｃの軸心Ｊ１を中心とする半径方向に沿った外側の端部Ｙ２」は、第１貫通孔７３ｍの「本体部７３ｃの軸心Ｊ１を中心とする半径方向に沿った外側の端部Ｚ２」よりも外側（本体部７３ｃの軸心Ｊ１と離間する側）に位置する。
【００９５】
同様に、第４凹部７８ｑの「本体部７３ｃの軸心Ｊ１を中心とする半径方向に沿った内側の端部Ｙ３」は、第２貫通孔７３ｎの「本体部７３ｃの軸心Ｊ１を中心とする半径方向に沿った内側の端部Ｚ３」よりも内側（本体部７３ｃの軸心Ｊ１に近接する側）に位置する。また、第４凹部７８ｑの「本体部７３ｃの軸心Ｊ１を中心とする半径方向に沿った外側の端部Ｙ４」は、第２貫通孔７３ｎの「本体部７３ｃの軸心Ｊ１を中心とする半径方向に沿った外側の端部Ｚ４」よりも外側（本体部７３ｃの軸心Ｊ１と離間する側）に位置する。なお、以下の説明において、「本体部７３ｃの軸心Ｊ１を中心とする半径方向に沿った内側の端部」を単に「内側の端部」と、「本体部７３ｃの軸心Ｊ１を中心とする半径方向に沿った外側の端部」を単に「外側の端部」と称する。また、本体部７３ｃの軸心Ｊ１に近接する側を「内側」と称し、本体部７３ｃの軸心Ｊ１に離間する側を「外側」と称する。また、本体部７３ｃの軸心Ｊ１位置に後述するワンウェイネジ８１の軸心が配置されることになる。
【００９６】
以上のように、蓋側封止部７７ａの凹部７８ｐ、７８ｑの内側の端部Ｙ１、Ｙ３が、本体側封止部７３の貫通孔７３ｍ、７３ｎの内側の端部Ｚ１、Ｚ３よりも内側に配置され、蓋側封止部７７ａの凹部７８ｐ、７８ｑの外側の端部Ｙ２、Ｙ４が、本体側封止部７３の貫通孔７３ｍ、７３ｎの外側の端部Ｚ２、Ｚ４よりも外側に配置される。そして、凹部７８ｐ、７８ｑにおいて貫通孔７３ｍ、７３ｎと対向する側の開口縁と、貫通孔７３ｍ、７３ｎにおいて凹部７８ｐ、７８ｑ側の開口縁とを比べると、前者の開口縁の内側に後者の開口縁が配置されることになる。
【００９７】
図２１および図２３に示すように、外枠部７７ａの突端面であって、上方の支持部７８の外側に位置する部位と、下方の支持部７８の外側に位置する部位には、係合孔７７ｓ、７７ｓが設けられている。また、図２０に示すように、スライド被挿入部７９の前端面にも係合孔７９ｂが設けられている。
【００９８】
次に、図２５を用いて封止具８０について説明する。本実施例では、封止具８０としてワンウェイネジ８１と、ブッシュ８２と、プッシュナット８５と、支持キャップ８６とを備える。なお、後述するように、主基板ケース７０を組み立てる際に形成する注空間部（Ｋ１、Ｋ２）と、この空間部（Ｋ１、Ｋ２）に注入される紫外線硬化性樹脂と、封止具８０（ワンウェイネジ８１、ブッシュ８２、プッシュナット８５、支持キャップ８６）とで封止手段を構成する。また、ワンウェイネジ８１は封止部材の具体例を構成する。
【００９９】
ワンウェイネジ８１は、ドライバ等の工具で締め付ける方向（ワンウェイネジ８１を取り付ける方向）に回転させることができても、緩める方向（ワンウェイネジ８１を外す方向）には回転させることができない（若しくは、困難である）ボルトである。具体的には、ワンウェイネジ８１はマイナスドライバと係合可能な係合溝８１ｆを上面に備える頭部８１ａと、頭部８１ａの下面から突出する軸部８１ｂとを備える。そして、軸部８１ｂは、頭部８１ａに近接する側に配置される大径部８１ｃと、頭部８１ａから離間する側に配置され、外径が大径部８１ｃよりも段差状に小さくなる小径部８１ｄとを備え、小径部８１ｄの外周面にはネジ溝８１ｍが設けられているが、大径部８１ｃの外周面にはネジ溝が設けられていない。但し、ワンウェイネジ８１の軸部８１ｂの外径が軸部８１ｂの軸心方向に沿って一定（中間に段部を備えない構成）としてもよい。
【０１００】
このワンウェイネジ８１においては、マイナスドライバによってワンウェイネジ８１を締め付ける方向に回転させようとすると、係合溝８１ｆがマイナスドライバと係合し、マイナスドライバによってワンウェイネジ８１を緩める方向に回転させようとすると、係合溝８１ｆはマイナスドライバとの合が解除される。
【０１０１】
ブッシュ８２は樹脂を用いて作成した一体成形品であり、略円筒状の本体部８２ａと、本体部８２ａの外周面の略１８０度隔てた位置から突出する位置決め突起８２ｂ、８２ｂとを備える。また、ブッシュ８２の軸心方向にそった中間部には中底部８２ｃを備えるため、ブッシュ８２の上端側は上方に開口する皿状部８２ｄとされている。更に、中底部８２ｃの中心部には開口形状が円形の凹部８２ｊが向けられ、この凹部８２ｊの軸心位置からは内筒部８２ｅが垂下している。この内筒部８２ｅは凹部８２ｊの軸心位置（ブッシュ８２の軸心）位置で開口するが、内筒部８２ｅの内壁面にはネジ溝（ワンウェイネジ８１のネジ溝８１ｍと螺合可能なネジ溝）は設けられておらず、ブッシュ８２にワンウェイネジ８１が挿入（回転しながら挿入）されるときに、内筒部８２ｅの内壁面にワンウェイネジ８１（ネジ溝８１ｍ）が雌ネジ溝を刻設する構成とされている。但し、当該内壁面に当該ネジ溝を設けてもよい。
【０１０２】
プッシュナット８５は、ステンレスを用いて構成され、ワンウェイネジ８１の抜け止めを図るための抜け止め部材を構成するものであり、略円環状に構成されている。このプッシュナット８５は、リング部８５ａと、リング部８５ａの内縁部８５ｄから軸心に向けて傾斜する傾斜部８５ｂとを備え、傾斜部８５ｂには放射状に複数のスリット８５ｃが設けられている。そして、傾斜部８５ｂ（プッシュナット８５）の内縁８５ｄの内径は小径部８１ｄの外径よりも大きく、大径部８１ｃの外径よりも小さくされている。また、傾斜部８５ｂはその内縁８５ｄを拡径する方向に弾性変形可能とされている。
【０１０３】
このプッシュナット８５は、傾斜部８５ｂの内縁８５ｄ（下端部）が先頭となるように皿状部８２ｄに装着される。そして、ブッシュ８２の上端側から傾斜部８５ｂの内縁８５ｄに向かって大径部８１ｃが挿入されると、傾斜部８５ｂはその内縁８５ｄを拡径する方向に弾性変形して、その内縁８５ｄを大径部８１ｃに当接させるため、大径部８１ｃが内縁８５ｄから離れる方向に移動することを規制する。
【０１０４】
支持キャップ８６は、折り曲げ加工が施された第１キャップ部材８６ａと、折り曲げ加工が施された第２キャップ部材８６ｂとを組み合わせて構成されている。また、第１キャップ部材８６ａおよび第２キャップ部材８６ｂは金属製の薄板（ステンレス製の薄板）によって構成されている。なお、本実施例と異なり、支持キャップ８６を一枚の金属板で構成したり、樹脂の一体成形品等で構成してもよい。
【０１０５】
支持キャップ８６は、ブッシュ８２を収納可能な略容器形状を備える。つまり、支持キャップ８６はブッシュ８２の下端部（底部）を搭載可能な底部８６ｃを備えている。つまり、この底部８６ｃは、円形に構成される本体部８６ｄと、本体部８６ｄにおいて１８０度隔てた部位から突出する突出部８６ｅ、８６ｆとを備え、本体部８６ｄ上にブッシュ８２の本体部８２ａが搭載され、各突出部８６ｅ、８６ｆに対応する位置決め突起８２ｂ、８２ｂが搭載される。また、各突出部８６ｅ、８６ｆの突端部側においては、本体部８６ｄに略直交する方向に係止脚８６ｇ、８６ｈが立ち上げられ、本体部８６ｄと同一の平面方向に向かって位置決め部８６ｍ、８６ｎが延出されている。
【０１０６】
両係止脚８６ｇ、８６ｈは略板バネとして作用する部分であり、下端部を固定端として互いの間隔を増減するように弾性変形可能である。また、両係止脚８６ｇ、８６ｈの突端部側は、外側に折り返された（他方の係止脚８６ｇ、８６ｈと反対の方向に折り返された）折り返し部８６ｐ、８６ｑとされている。また、底部８６ｃの周縁部のうち、係止脚８６ｇ、８６ｈの立ち上げ位置を除く部位には、保持壁８６ｓ、８６ｔが立ち上げられている。このため、底部８６ｃ上にブッシュ８２を搭載すると、このブッシュ８２は係止脚８６ｇ、８６ｈと、両保持壁８６ｓ、８６ｔによって保持された状態となる。
【０１０７】
（４）主制御基板装置７０の組立方法および封止方法
次に、本実施例の主制御基板装置７０の組立方法および封止方法の一具体例を説明する。先ず、前述のように、主制御基板２００をケース本体７２に固定した後、ケース本体７２に対してケース蓋７５を組み付ける作業を行う。
【０１０８】
まず、図２６（ａ）および（ｂ）に示すように、ケース本体７２の開口部７２Ａと、ケース蓋７５の開口部７５Ａとを僅かにずらした状態で上下に対向させ、ケース本体７２の被係合部７２ｒがケース蓋７５の係合部７５ｆに係合するようにしつつ、ケース本体７２に対して、ケース蓋７５をスライドさせる（ケース本体７２をケース蓋７５に対してスライドさせてもよい。）。
【０１０９】
具体的には、図２６（ａ）に示すように、ケース本体７２をケース蓋７５に対して、所定方向｛図２６（ａ）中の矢印Ｍを参照｝にずらした状態で取り付ける。つまり、下部のスライド挿入溝Ｍ１の各被係合部７２ｒが、下方の挿入壁７５ｅの対応する切り欠き部７５ｇに進入し、上部のスライド挿入溝Ｍ２の各被係合部７２ｒが、上方の挿入壁７５ｅの対応する切り欠き部７５ｇに進入するようにしつつ、ケース本体７２をケース蓋７５に取り付ける。この後、ケース本体７２を基準にケース蓋７５を所定方向と反対の方向｛図２６（ａ）中の矢印Ｎを参照｝にスライドさせ（若しくは、ケース蓋７５を基準にケース本体７２を横方向にスライドさせ）、各係合部７５ｆに対して、被係合部７２ｒを進入させると、計１２個の係合部７５ｆが各々対応する被係合部７２ｒに対して抜け止め方向（前後）に係合することになる｛図２６（ｂ）を参照｝。
【０１１０】
このとき、ケース本体７２の「第１短手壁Ｄ１」およびケース蓋７５の「第１短手壁Ｅ１」の側においては、スライド挿入部７２ｓの係合突起ｔ２が、スライド被挿入部７９の係合孔７９ｂに挿入され｛図１３（ｂ）を参照｝、本体側封止部７３の係合突起ｔ１、ｔ１（図１０、図１５を参照）が、係合孔７７ｓ、７７ｓ（図２１、図２３を参照）に挿入される。また、ケース本体７２の「第２短手壁Ｄ３」およびケース蓋７５の「第２短手壁Ｅ３」の側においては、スライド被挿入部７２ｔ、７２ｔの被挿入孔７２１ｔに係合突起ｔ３、ｔ３が挿入される（図１４を参照）。これにより、ケース本体７２をケース蓋７５から分離すること（ケース本体７２を後方に向かって取り外すこと）ができなくなる。
【０１１１】
このように、ケース本体７２をケース蓋７５に対して取り付けられると（装着されると）、図２７（ａ）に示すように、蓋側封止部７７と、本体側封止部７３とが前後に重ね合わせされた状態（接触する状態に対向配置される状態）となる。これにより、蓋側封止部７７の２個の支持部７８と、本体側封止部７３の底部７３ｄとが略当接する状態となる。このとき、本体側封止部７３を構成する封止本体７３ａ（本体部７３ｃ）の軸心と、蓋側封止部７７を構成する筒状部７８ｂ（本体部７８ｃ）の軸心とが同一線上に配置される。そして、封止本体７３ａ（本体部７３ｃ）の底部７３ｄの貫通孔７３ｅと、蓋側封止部７７の筒状部７８ｂ（本体部７８ｃ）を構成する蓋部７８ａの通過孔７８ｊとが同心上に配置されつつ連通する。
【０１１２】
また、本体側封止部７３の底部７３ｄの各第１貫通孔７３ｍが、蓋側封止部７７の蓋部７８ａの第３凹部７８ｐのうちの対応するものと前後（本体部７３ｃの軸心Ｊ１方向）に連通し、底部７３ｄの第２貫通孔７３ｎが、蓋部７８ａの第４凹部７８ｑと前後（本体部７３ｃの軸心Ｊ１方向）に連通する（図２４を参照）。このとき、本体部７３ｃの軸心Ｊ１方向に沿って位置合わせされる第３凹部７８ｐの外周縁のサイズは、第１貫通孔７３ｍの外周縁のサイズよりも大きくされる（前者の開口縁の内側に後者の開口縁が存在し、両開口縁の距離が、０．２〜１０ｍｍのうちの何れかとされる）。更に、第４凹部７８ｑの外周縁のサイズは、第２貫通孔７３ｎの外周縁のサイズよりも大きくされる（前者の開口縁の内側に後者の開口縁が存在し、両開口縁の距離が、０．２〜１０ｍｍのうちの何れかとされる）。
【０１１３】
次いで、ケース本体７２とケース蓋７５とを封止する作業（封止作業）について説明する。この封止作業は、封止具８０（ワンウェイネジ８１、ブッシュ８２、プッシュナット８５、支持キャップ８６）と、紫外線硬化性樹脂８８とを用いて行う。また、封止具８０のうち、ワンウェイネジ８１は後方（蓋側封止部７７から離間する方向）から装着され、封止具８０を構成する他の部材は前方（本体側封止部７３から離間する方向）から装着される。ここで、他の部材は、ブッシュ８２、プッシュナット８５および支持キャップ８６であるが、ケース蓋７５に装着される前に組み付けられ、一体品８０Ａとされる。
【０１１４】
この一体品８０Ａは、図２７（ｂ）に示すように、ブッシュ８２の皿状部８２ｄにプッシュナット８５を装着し、プッシュナット８５に支持キャップ８６を装着したものである。ここで、支持キャップ８６は、ブッシュ８２において皿状部８２ｄとは反対に位置する端部の側から装着され、本体部８６ｄ上にブッシュ８２の本体部８２ａが搭載され、各突出部８６ｅ、８６ｆに対応する位置決め突起８２ｂ、８２ｂが搭載される（図２５を参照）。
【０１１５】
また、図２７（ｂ）に示すように、一体品８０Ａは、プッシュナット８５においてブッシュ８２が装着された側を先頭に、蓋側封止部７７を構成する筒状部７８ｂの開口部７８ｙを通じて筒状部７８ｂに挿入される。このとき、図２９（ａ）に示すように、ブッシュ８２の位置決め突起８２ｂ、８２ｂ（突出部８６ｅ、８６ｆ）のうちの一方が上部突出部７８ｄに挿入され、他方が下部突出部７８ｅに挿入される。これにより、一体品８０Ａの筒状部７８ｂ内での回り止めがなれる（本体部７３ｃの軸心Ｊ１、つまり、筒状部７８ｂの軸心回りに位置決めされた状態となる）。
【０１１６】
また、このように、一体品８０Ａを筒状部７８ｂに挿入していくと、図２８（ａ）に示すように、係止脚８６ｇ、８６ｈの突端（折り返し部８６ｐ、８６ｑの先端）が、内壁部７８ｇ、７８ｈと摺動するため、係止脚８６ｇ、８６ｈは突端（折り返し部８６ｐ、８６ｑの先端）間の間隔を狭くするように撓む。そして、突端（折り返し部８６ｐ、８６ｑの先端）が凹部７８ｎ、７８ｎに到達すると、係止脚８６ｇ、８６ｈの状態が弾性変形前のとなり、折り返し部８６ｐ、８６ｑの先端（突端）が、ブッシュ８２において、凹部７８ｎ、７８ｎを形作る面７８１ｎ、７８１ｎに係止する。また、このとき、支持キャップ８６の位置決め部８６ｍ、８６ｎが凹部７８ｍ、７８ｍに収納される。
【０１１７】
続いて、図３０（ａ）および（ｂ）に締め付けるように、本体側封止部７３の側から蓋側封止部７７の側に到達するようにワンウェイネジ８１を装着する。具体的には、ワンウェイネジ８１を、軸部８１ｂを先頭に封止本体７３ａ（本体部７３ｃ）の開口部７３ｘの側から挿入し、ワンウェイネジ８１をドライバ等の工具で締め付ける方向（ワンウェイネジ８１を取り付ける方向）に回転させ、軸部８１ｂを貫通孔７３ｅ、通過孔７８ｊの順次に挿入する。この挿入を行うと、小径部８１ｄは貫通孔７３ｅ、通過孔７８ｊおよびブッシュ８２の内縁８５ｄよりも小径であるため、貫通孔７３ｅ、通過孔７８ｊおよび内縁８５ｄをそのまま通過し、内筒部８２ｅに螺入する。つまり、小径部８１ｄが回転しつつ挿入されるため、小径部８１ｄのネジ溝８１ｍが、内筒部８２ｅの内壁面にネジ溝を形成（刻設）しつつ、内筒部８２ｅに挿入される。
【０１１８】
このように、ワンウェイネジ８１が装着されると、大径部８１ｃの一端部側は貫通孔７３ｅ、通過孔７８ｊに略隙間の無く挿入された状態となり、大径部８１ｃの他端側は凹部８２ｊに挿入され、大径部８１ｃの中間部はプッシュナット８５の傾斜部８５ｂの内縁８５ｄに挿入される。このため、大径部８１ｃが内縁８５ｄから離れる方向に移動することが規制される。
【０１１９】
このように、ワンウェイネジ８１が装着されると、封止本体７３ａ（本体部７３ｃ）の内壁であって、第１凹部７３ｆおよび第２凹部７３ｇよりも、封止本体７３ａ（本体部７３ｃ）の開口部７３ｘ寄りの部位と、ワンウェイネジ８１の頭部８１ａと、の間には隙間Ｓ１が設けられる。また、封止本体７３ａ（本体部７３ｃ）において、頭部８１ａよりも上方に位置する空間部７３ｚと、各第１凹部７３ｆと各第１貫通孔７３ｍと各第３凹部７８ｐとが連通して構成される空間部とが隙間Ｓ１を介して連通し、空間部分７３ｚと第２凹部７３ｇと第２貫通孔７３ｎと第４凹部７８ｑと連通して構成される空間部分が隙間Ｓ１を通じて連通する。そして、空間部分７３ｚと、４個の第１凹部７３ｆと、４個の第１貫通孔７３ｍと、４個の第３凹部７８ｐと、第２凹部７３ｇと、第２貫通孔７３ｎと、第４凹部７８ｑによって、紫外線硬化性樹脂（例えば、ウレタンアクリレート、アクリル樹脂アクリレート、エポキシアクリレート等）８８が注入される空間部（Ｋ１、Ｋ２）が構成される。
【０１２０】
この空間部Ｋ１、Ｋ２は、封止本体７３ａ（本体部７３ｃ）の開口部７３ｘに開放された状態となり、ケース本体７２に形成される空間部Ｋ１と、ケース蓋７５に形成される空間部Ｋ２とが一体化されたものである。ここで、ケース本体７２に形成される空間部Ｋ１（つまり、第１ケース体側空間部Ｋ１）は、空間部７３ｚと、４個の第１凹部７３ｆと、４個の第１貫通孔７３ｍと、第２凹部７３ｇと、第２貫通孔７３ｎの内部空間によって構成され、ケース蓋７５に形成される空間部Ｋ２（つまり、第２ケース体側空間部Ｋ２）は、４個の第３凹部７８ｐと第４凹部７８ｑの内部空間によって構成される。なお、図３０および後述する図３２は、空間部Ｋ１（第１ケース体側空間部Ｋ１）を構成する部位のうち、第２凹部７３ｇおよび第２貫通孔７３ｎが図示されない位置の縦断面を示し、空間部Ｋ２（第２ケース体側空間部Ｋ２）のうち、第４凹部７８ｑが図示されない位置の縦断面を示す（図３０の括弧書の７３ｇ、７３ｎ、７８ｑ）。これらに関しては、図１５、図１７（ａ）、図２１、図２３、図２４に図示されている。
【０１２１】
図３１（ａ）に示すように、封止本体７３ａ（本体部７３ｃ）の開口部７３ｘの側から封止本体７３ａ（本体部７３ｃ）内に紫外線硬化性樹脂（例えば、ウレタンアクリレート、アクリル樹脂アクリレート、エポキシアクリレート等）８８を注入し、空間部（Ｋ１、Ｋ２）を充填する。このとき、空間部（Ｋ１、Ｋ２）内であって、隙間Ｓ１よりも上方の部位（以下、上方部位という。）も、紫外線硬化性樹脂によって充填されるため、頭部８１ａは紫外線硬化性樹脂８８によって埋没する。このとき、頭部８１ａの係合溝８１ｆにも、紫外線硬化性樹脂８８が充填された状態となる。そして、注入された紫外線硬化性樹脂８８に向かって紫外線を照射すると、数秒で線硬化樹脂８８が硬化する。これにより、ケース本体７２とケース蓋７５とを封止する作業（封止作業）を完了する。
【０１２２】
ここで、「硬化性樹脂」は、当初流動性（液状又はペースト状等）を有している状態で、空間部（Ｋ１、Ｋ２）に充填した後、硬化する性質を備える樹脂である。そして、「硬化性樹脂」としては、「紫外線硬化性樹脂（紫外線を照射することで硬化する樹脂）」、「光硬化性樹脂（レーザ光等の光を照射することで硬化する樹脂）」、「熱硬化性樹脂」、「熱可塑性樹脂」等を挙げることができる。また、紫外線硬化性樹脂としては、アクリル系紫外線硬化性樹脂や、アクリル系紫外線硬化性樹脂およびエポキシ系樹脂との混合体を用いることができ、「光硬化性樹脂」としてはエポキシ系、オキセタン系等の光硬化性樹脂を例示できる。
【０１２３】
（５）実施例の効果
以上の主制御基板ケース７１によると、不正な開封を試みる者（以下、不正行為者という。）の不正行為を成功し難くできる。つまり、主制御基板ケース７１では、図３２に示すように、空間部（Ｋ１、Ｋ２）には、ワンウェイネジ８１の頭部８１ａが埋没するように紫外線硬化性樹脂（硬化性物質）８８を注入する。このため、ワンウェイネジ８１が視認困難若しくは視認不能とされるばかりか、硬化した紫外線硬化性樹脂８８によってワンウェイネジ８１が引き抜き難くされる。従って、ワンウェイネジ８１を無理やり引き抜いて、主制御基板ケース７１の封止を不正に解除する行為を行い難くできる。
【０１２４】
また、ワンウェイネジ８１の周囲の注入（Ｋ１、Ｋ２）で硬化している紫外線硬化性樹脂８８を介して、蓋側封止部７７の支持部７８と、本体側封止部７３の底部７３ｄとが接着されるため、ワンウェイネジ８１が無理に取り外されたとしても、支持部７８と底部７３ｄを引き離し、ケース本体７２（第１ケース体）と、ケース蓋７５（第２ケース体）に分離することが困難である。
【０１２５】
特に、本実施例では、図２４および図３２に示すように、第３凹部７８ｐの内側の端部Ｙ１が、第１貫通孔７３ｍの内側の端部Ｚ１よりも内側に位置し、第３凹部７８ｐの外側の端部Ｙ２は、第１貫通孔７３ｍの外側の端部Ｚ２よりも外側に位置している。また、図２４に示すように（図３２においては図示を省略）、第４凹部７８ｑの内側の端部Ｙ３は、第２貫通孔７３ｎの内側の端部Ｚ３よりも内側に位置し、第４凹部７８ｑの外側の端部Ｙ４は、第２貫通孔７３ｎの外側の端部Ｚ４よりも外側に位置する。よって、空間部（Ｋ１、Ｋ２）で硬化した紫外線硬化性樹脂８８のうち、蓋側封止部７７側の空間部Ｋ２に充填される部分が、本体側封止部７３側の空間部Ｋ１に充填される部分よりも内側（軸心Ｊ１に近接する側）に突出する突出部Ｘ１と、外側（軸心Ｊ１に離間する側）に突出する突出部Ｘ２とを備え、硬化した紫外線硬化性樹脂８８が鉤形状部（突出部Ｘ１、Ｘ２を引っ掛かり部、アンカー部とする鉤形状部）を構成するため、ケース蓋７５に対して、ケース本体７２を矢印Ｖ１の方向に動かして、ケース蓋７５におよびケース本体７２を分離したり、ケース蓋７５に対して、ケース本体７２を矢印Ｖ２の方向にスライドさせること等が困難である。
【０１２６】
また、実施例１においては、支持部７８と底部７３ｄとにおいて、紫外線硬化性樹脂８８を用いた接着面が拡大するため、支持部７８および底部７３間の接着強度が高められる点からも、ケース蓋７５をケース本体７２から分離することが困難とされている。ここで、比較例として、図３３（ｂ）に示ように、鉤形状部Ｘ１、Ｘ２を設けない態様（端部Ｙ１と端部Ｚ１を本体部７３ｃの軸心から等距離とし、端部Ｙ２およびＺ２本体部７３ｃの軸心から等距離とする態様）を例示できる。そして、実施例１では、比較例に比べて、突出部Ｘ１、Ｘ２の部分だけ接着面が拡大するため｛図３３（ａ）に示すように、１個の鉤形状部Ｘ１だけでも、符号Ｗ１で示す面、符号Ｗ２で示す面、符号Ｗ３で示す面だけ、接着面が拡大するため｝、支持部７８および底部７３ｄ間の接着強度が高められ、ケース蓋７５をケース本体７２から分離することが困難となる。
【０１２７】
なお、図２９（ｂ）に示す変形例１のように、本体側封止部７３と、蓋側封止部７７の合わせ目（接合部）に傾斜面を備えるカバー体７８Ｑを装着することが望ましい（特に、着色されたもの）。この場合、本体側封止部７３と、蓋側封止部７７に対してドリル等の工具を用いて孔を開け、主制御基板ケース７１を不正に開封するという行為が施された場合でも、当該行為の痕跡がカバー体７８Ｑに残るため、当該行為がなされたことを容易に発見することができる。
【０１２８】
また、図３３（ｂ）に示す変形例２のように、ケース蓋７５の構成の簡略化を図ることもできる。例えば、一体品８０Ａを用いることなく、蓋側封止部７７に略柱状（略円柱状等）の固定部８０Ｂを設け、この固定部８０Ｂに対して、底部７３ｄ側に開口する雌ネジ部７５Ｍを設ける。そして、ワンウェイネジ８１のネジ溝８１ｍを螺合することで、ケース蓋７５およびケース本体７２を固着してもよい。但し、変形例２においても、実施例１と同様に、ワンウェイネジ８１を装着する際に、ワンウェイネジ８１が固定部８０Ｂに雌ネジを刻設してもよい。
【実施例２】
【０１２９】
次に、実施例２の遊技機について説明する。この実施例２は、図３４および図３５（ａ）に示すように、不正行為者がワンウェイネジ８１Ｂを引き抜く行為を更に行い難くしたものである。
【０１３０】
実施例２のワンウェイネジ８１Ｂも、実施例１のワンウェイネジ８１と同様に、ドライバ等の工具で締め付ける方向（ワンウェイネジ８１Ｂを取り付ける方向）に回転させることができても、緩める方向（ワンウェイネジ８１Ｂを外す方向）には回転させることができない（若しくは、困難である）ボルトである。このワンウェイネジ８１Ｂは、頭部８１ａと、頭部８１ａの下面から突出する軸部８１ｆとを備える。
【０１３１】
このうち、頭部８１ａは実施例１のワンウェイネジ８１の頭部８１ａと同様な構成を備える。ところが、ワンウェイネジ８１Ｂの軸部８１ｆは、軸心方向に沿って一定の外径を備えるとともに、その外周面の略全域にネジ溝８１ｎが設けられている。
【０１３２】
また、実施例２においても、前述の変形例２と同様にケース蓋７５の構成の簡略化を図られている。つまり、一体品８０Ａを用いることなく、蓋側封止部７７に略柱状（略円柱状等）の固定部８０Ｂを設け、この固定部８０Ｂに対して、底部７３ｄ側に開口する雌ネジ部８５Ｍを設ける。そして、ワンウェイネジ８１Ｂのネジ溝８１ｎを螺合することで、ケース蓋７５およびケース本体７２を固着している。
【０１３３】
実施例２においても、図３４に示すように、本体側封止部７３の本体部７３ｃの軸心Ｊ１回りに約９０度隔てた４箇所に第１凹部７３ｆが設けられ、当該軸心Ｊ１を周回する方向に沿って並ぶ２個の第１凹部７３ｆの中間には第２凹部７３ｆが設けられている。更に、底部７３ｄにおいて、各凹部７３ｆ、７３ｇと位置合わせされる部位に貫通孔７３ｍ、７３ｎが設けられている。但し、実施例２においては、底部７３ｄにおいて、１個の第１凹部７３ｆと同一半径（本体部７３ｃの軸心Ｊ１を中心とする半径）上に位置する部位が、切り欠き部７３ｗとされている。また、底部７３ｄの貫通孔７３ｅの内径が軸部８１ｆの外径よりも大きく、固定部８０Ｂの底部７３ｄ側に位置する部位においては、ネジ孔８５Ｍよりも内径が大きな部位８５Ｐを設けている。このため、底部７３ｄからネジ孔８５Ｍに至る部位において、軸部８１ｆの周囲に空間部Ｋ３が形成される。
【０１３４】
また、底部７３ｄにおいて、各第１凹部７３ｆの各々と本体部７３ｃの軸心Ｊ１の軸心方向に位置合わせされる部位には第１貫通孔７３ｍが設けられ、第２凹部７３ｇと本体部７３ｃの軸心Ｊ１の軸心方向に位置合わせされる部位には、第２貫通孔７３ｎが設けられている。なお、固定部８０Ｂには、底部７３ｄと略当接する面であって、本体側封止部７３の本体部７３ｃの軸心回りに周回する位置には５個の凹部７８ｐ、７８ｑが設けられている（図３４では、凹部７８ｑを図示していないが、図２４の凹部７８ｑと同様である。）。そして、５個の凹部７８ｐのうちの４個（第３凹部７８ｐ）は、本体部７３ｃＪ１の軸心回りに約９０度隔てた４箇所に設けられ、残りの１個（第４凹部７８ｑ）は、当該軸心Ｊ１を周回する方向に沿って並ぶ２個の第３凹部７８ｐの中間に設けられている。なお、第１貫通孔７３ｍと第３凹部７８ｐの位置関係や大小関係、第４凹部７８ｑと第２貫通孔７３ｎの位置関係や大小関係については実施例と同様である。
【０１３５】
実施例２においは、ワンウェイネジ８１Ｂの周囲の空間部Ｋ３と、切り欠き部７３ｗ内の空間部Ｋ４が付加されている点が、実施例１と異なる。そして、封止本体７３ａ（本体部７３ｃ）の開口部７３ｘの側から封止本体７３ａ（本体部７３ｃ）内に紫外線硬化性樹脂８８を注入すると、空間部Ｋ１、Ｋ２が紫外線硬化性樹脂８８で充填されるばかりか、切り欠き部７３ｗ内の空間部Ｋ４および空間部Ｋ３も紫外線硬化性樹脂８８で充填される。このように、紫外線硬化性樹脂８８が切り欠き部７３ｗを通過して空間部Ｋ３にも充填されるため、ワンウェイネジ８１Ｂの軸部８１ｆのネジ溝８１ｎのうち、空間部Ｋ３内に存在するものに紫外線硬化性樹脂８８が充填される。そして、注入された紫外線硬化性樹脂８８に向かって紫外線を照射すると、数秒で線硬化樹脂８８が硬化する。これにより、ケース本体７２とケース蓋７５とを封止する作業（封止作業）を完了する。
【０１３６】
実施例２によると、実施例１の効果に加えて、以下の効果を得ることができる。つまり、ワンウェイネジ８１Ｂの軸部８１ｆのネジ溝８１ｎ（凹部）に紫外線硬化性樹脂８８が充填されるため、ワンウェイネジ８１Ｂを更に引き抜き難くすることができる。このため、主制御基板ケース７１の封止を不正に解除する行為を行うことが更に一層困難となる。
【０１３７】
なお、この実施例２は、変形例２の変形例に相当するものであるが、図３５（ｂ）の変形例３のように、実施例２を実施例１や変形例２の変形例とすることもできる。また、ワンウェイネジ８１Ｂの軸部８１ｆに設ける凹部は、実施例２のネジ溝８１ｎに限定されない。例えば、変形例２に示すように、ワンウェイネジ８１Ｄの軸部８１ｂ（大径部８１ｃ）に任意の形状の凹部８１ｙ（例えば、鉤穴形状の凹部８１ｙ）を設けることができる。
【０１３８】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１３９】
各実施例では、ケース本体７２（本体側封止部７３）を構成する封止本体７３ａの各底部７３ｄ設けられる貫通孔７３ｍ、７３ｎと、ケース蓋７５（蓋側封止部７７）を構成する蓋側封止部７７の各蓋部７８ａに設けられる凹部７８ｐ、７８ｑのとの位置関係、数を図２４に示すように定めたが、当該位置関係や数を適宜変更することもできる。例えば、各底部７３ｄの貫通孔７３Ｍの数と、各蓋部７８ａの凹部７８Ｍの数を、図３６（ａ）の変形例４のように１個としたり、図３６（ｂ）の変形例５のように２個としたり、図３６（ｃ）の変形例６のように３個とすること等ができる。但し、変形例４のように支持部７８の軸心Ｊ１方向に沿って位置合わせされる貫通孔７３Ｍおよび凹部７８Ｍの数が単数の場合、各底部７３ｄと、各蓋部７８ａの接合（接着）強度を考慮すると、貫通孔７３Ｍおよび凹部７８Ｍのサイズを大きくすること（例えば、本体部７３ｃの軸心Ｊ１周りの中心角が７０度以上、２４０度以下の円弧状とすること）が望ましい。
【０１４０】
また、各実施例や変形例５、６に示すように、本体部７３ｃの軸心Ｊ１方向に沿って位置合わせされる貫通孔７３Ｍおよび凹部７８Ｍの数が複数の場合、貫通孔７３Ｍおよび凹部７８Ｍを、支持部７８の軸心周りに所定間隔をおいて（例えば、等間隔に）に配置し、各底部７３ｄと各蓋部７８ａをバランス良く、接合（接着）し、この接合（接着）強度を高めることが望ましい。
【０１４１】
また、図３７（ａ）の変形例７のように貫通孔７３Ｍのサイズを大きくしてもよい。例えば、本体部７３ｃの軸心周りの中心角が１２０度以上、１６０度以下の円弧状の貫通孔７３Ｍを複数（例えば、２個）設け、蓋部７８ａに１個若しくは複数個の凹部７８Ｍを設ける。そして、凹部７８Ｍの内側の端部が、貫通孔７３Ｍの内側の端部よりも内側に位置し、凹部７８Ｍの外側の端部が、貫通孔７３Ｍの外側の端部よりも外側に位置することとしてもよい。
【０１４２】
一方、図３７（ｂ）の変形例８のように凹部７８Ｍのサイズを大きくしてもよい。例えば、本体部７３ｃの軸心周りの中心角が１２０度〜３６０のうちの何れかの角度としてもよい。そして、凹部７８Ｍの内側の端部が、貫通孔７３Ｍの内側の端部よりも内側に位置し、凹部７８Ｍの外側の端部が、貫通孔７３Ｍの外側の端部よりも外側に位置することとしてもよい。
【０１４３】
また、各実施例および各変形例では、ケース本体７２（本体側封止部７３）を構成する封止本体７３ａの各底部７３ｄ設けられる貫通孔７３ｍ、７３ｎ、７３Ｍ（以下、前者という。）と、ケース蓋７５（蓋側封止部７７）を構成する蓋側封止部７７の各蓋部７８ａに設けられる凹部７８ｐ、７８ｑ、７８Ｍ（以下、後者という。）とにおいて、後者の外側の端部が前者の外側の端部よりも外側に位置し（以下、条件１という。）、後者の内側の端部が前者の内側の端部よりも外側に位置する（以下、条件２という。）態様を例示したが、図３８（ａ）の変形例９のように、条件１および条件２のうちの何れか一方のみを満足してもよい。
【０１４４】
また、図３８（ｂ）の変形例１０のように、前者と後者の開口部のサイズを同一としつつも、後者を奥側に向かって空間幅が広がる凹部７８Ｒとすること（例えば、あり溝形状とすること）で、条件１および条件２の双方若しくは一方を充足してもよい。
【０１４５】
なお、各実施例では、封止部材として封止ネジを例示したが、雄ネジ溝を備えない略ピン状の封止部材等を例示することもできる。この略ピン状の封止部材においては、例えば、頭部と、頭部から突出する軸部とを備え、第１ケース体と第２ケース体とに跨って挿入されるものを例示できる。この場合、例えば、軸部の突端をカシメて、第１ケース体および第２ケース体を固着することができる（封止部材を略リベット形状とする場合）。
【０１４６】
また、基板収容ケースとしては、第１ケース体と第２ケース体とを相対的にスライドさせ、開閉が行われるスライド式の基板収容ケース、第１ケース体と第２ケース体とをヒンジで連結し、第１ケース体と第２ケース体とを相対的に回動させ、開閉が行われる回動式の基板収容ケース、等を例示できる。
【０１４７】
更に、上述した各実施例および変形例では、遊技ホールの島設備から供給される遊技球を「貸球」や「賞球」として利用し、遊技盤に設けられた各種入賞口（第１始動口、第２始動口、大入賞口等）への遊技球の入球に応じて所定数の賞球を払い出すことによって、遊技の結果としての利益（遊技価値）を遊技者に付与する遊技機１に本発明を適用した例を説明したが、「賞球の払い出し」とは異なる形態で遊技上の利益（遊技価値）を付与するタイプの遊技機にも、本発明を適用することができる。そのようなタイプの遊技機として、各種入賞口への遊技球の入球が発生することで、その入球に対応する利益の量（遊技価値の大きさ）を示すデータを主制御部あるいは払出制御部のＲＡＭに記憶することによって、遊技上の利益（遊技価値）を遊技者に付与する遊技機を例示でき、この場合にも、上記実施例と同様の効果を得ることができる。
【０１４８】
なお、遊技上の利益（遊技価値）をデータ化して遊技者に付与するタイプの遊技機としては、遊技機に内蔵された複数個の遊技球を循環させて使用する遊技機、具体的には、各種入賞口あるいはアウト口を経て遊技盤の裏面に排出された遊技球を、再度、発射位置に戻して発射するように構成された遊技機（いわゆる封入式遊技機）を例示できる。この種の遊技機（いわゆる封入式遊技機）においては、例えば、入賞口に遊技球が入球する毎に、例えば、入球した入賞口毎に定められた賞球量を示すデータを記憶することによって、遊技の結果としての遊技価値を遊技者に付与することができる。
【産業上の利用可能性】
【０１４９】
本発明は、遊技機を製造、販売等する分野において利用できる。
【符号の説明】
【０１５０】
１；遊技機（弾球遊技機）、
１０；遊技盤、
７０；主制御基板装置、
７１；主制御基板ケース（基板収納ケース）、
７２；ケース本体（第１ケース本）、
７５；ケース蓋（第２ケース本）、
２００；主制御基板（制御基板）、
Ｋ１およびＫ２；空間部
Ｋ１；第１ケース体側空間部、
Ｋ２；第２ケース体側空間部。
【図１】
0005858100.tif 000002
【図２】
0005858100.tif 000003
【図３】
0005858100.tif 000004
【図４】
0005858100.tif 000005
【図５】
0005858100.tif 000006
【図６】
0005858100.tif 000007
【図７】
0005858100.tif 000008
【図８】
0005858100.tif 000009
【図９】
0005858100.tif 000010
【図１０】
0005858100.tif 000011
【図１１】
0005858100.tif 000012
【図１２】
0005858100.tif 000013
【図１３】
0005858100.tif 000014
【図１４】
0005858100.tif 000015
【図１５】
0005858100.tif 000016
【図１６】
0005858100.tif 000017
【図１７】
0005858100.tif 000018
【図１８】
0005858100.tif 000019
【図１９】
0005858100.tif 000020
【図２０】
0005858100.tif 000021
【図２１】
0005858100.tif 000022
【図２２】
0005858100.tif 000023
【図２３】
0005858100.tif 000024
【図２４】
0005858100.tif 000025
【図２５】
0005858100.tif 000026
【図２６】
0005858100.tif 000027
【図２７】
0005858100.tif 000028
【図２８】
0005858100.tif 000029
【図２９】
0005858100.tif 000030
【図３０】
0005858100.tif 000031
【図３１】
0005858100.tif 000032
【図３２】
0005858100.tif 000033
【図３３】
0005858100.tif 000034
【図３４】
0005858100.tif 000035
【図３５】
0005858100.tif 000036
【図３６】
0005858100.tif 000037
【図３７】
0005858100.tif 000038
【図３８】
0005858100.tif 000039